(57)【要約】【課題】透明遊技盤の裏面と入賞球集合通路部品との間に装飾部品を配設でき、装飾部品で透明遊技盤の裏面を装飾できる遊技機を提供する。【解決手段】透明遊技盤３０とその背後の集合通路盤６０には、透明遊技盤３０の方に開口するとともに、当該集合通路盤６０の側面視で排出口６１の奥行き長さよりも大きく奥行き方向に窪んだ、装飾部品を収容可能な窪み空間を形成する窪み空間形成壁部６２と、透明遊技盤３０の貫通孔と連通して奥行き方向に向かう、窪み空間形成壁部６２の奥行きよりも長い奥行き通路６４と、この奥行き通路６４と排出口６１とを結ぶ連結通路６５とを備えているので、集合通路盤６０の窪み空間形成壁部６２による窪み空間に装飾部品を収容することができ、装飾部品で透明遊技盤３０の裏面を装飾でき、透明遊技盤３０の裏面の装飾性を向上させることができ、装飾部品の見辛さの問題も生じない。【選択図】図７
2019063664.tif 000002
【特許請求の範囲】
【請求項１】
遊技球が打ち込まれる遊技領域が前面側に形成された透明な透明盤と、
前記透明盤の裏面側に配設されて前記透明盤からの遊技球を集めて排出する集合ユニットとを備えた遊技機において、
前記透明盤は、
前記遊技領域の所定箇所に、遊技球が入球可能な入賞部品と、
該入賞部品に入賞した遊技球が通過可能なように前記入賞部品の配設箇所に前後方向に貫通形成された貫通孔と、
を備え、
前記集合ユニットは、
該集合ユニットに下向きに設けられた、外部へ遊技球を排出する排出口と、
前記透明盤と対向する側に開口するとともに、当該集合ユニットの側面視で前記排出口の奥行き長さよりも大きく奥行き方向に窪んだ窪み空間であって装飾部品を収容可能な窪み空間を形成する窪み空間形成部と、
前端部が前記透明盤の前記貫通孔と連通して奥行き方向に向かうように構成され、後端部が前記窪み空間形成部に収容される前記装飾部品の奥行きよりも奥側に位置するように構成された奥側案内部と、
前記奥側案内部の後端部と前記排出口とを結ぶ通路部であって、その少なくとも一部に、前記窪み空間形成部の裏面側で下向きに延びる下向き通路部を有する連結通路部と、
前記窪み空間形成部と前記奥行き通路部とを備えた、樹脂成型部材である本体ユニットと、
を備え、
前記本体ユニットは、前記透明盤の裏面側で前記貫通孔の周囲箇所の少なくとも一部の箇所に向けて前記窪み空間が開口形成されるように前記窪み空間形成部を備えており、
前記装飾部品は、前記奥側案内部の前端部の少なくとも一部を囲むように設けられている
ことを特徴とする遊技機。
【発明の詳細な説明】
【技術分野】
【０００１】
この発明は、パチンコ機等の遊技機に関する。
【背景技術】
【０００２】
従来、遊技機の代表例として例えばパチンコ機がある。このパチンコ機としては、例えば、遊技球が打ち込まれる遊技領域を前面側に有する透明な透明盤を備えたものがある（例えば、特許文献１参照）。
【先行技術文献】
【特許文献】
【０００３】
【特許文献１】特開２００６−９５１６２号公報（第３−５頁，第２−６図）
【発明の概要】
【発明が解決しようとする課題】
【０００４】
しかしながら、このような構成を有する従来例の場合には、次のような問題がある。
【０００５】
すなわち、従来のパチンコ機では、透明盤の裏面下部の装飾性を向上させることができないという問題がある。
【０００６】
本発明は、このような事情に鑑みてなされたものであって、透明盤の裏面の装飾性を向上させることができる遊技機を提供することを目的とする。
【課題を解決するための手段】
【０００７】
この発明は、このような目的を達成するために、次のような構成をとる。
【０００８】
すなわち、請求項１に記載の発明は、
遊技球が打ち込まれる遊技領域が前面側に形成された透明な透明盤と、
前記透明盤の裏面側に配設されて前記透明盤からの遊技球を集めて排出する集合ユニットとを備えた遊技機において、
前記透明盤は、
前記遊技領域の所定箇所に、遊技球が入球可能な入賞部品と、
該入賞部品に入賞した遊技球が通過可能なように前記入賞部品の配設箇所に前後方向に貫通形成された貫通孔と、
を備え、
前記集合ユニットは、
該集合ユニットに下向きに設けられた、外部へ遊技球を排出する排出口と、
前記透明盤と対向する側に開口するとともに、当該集合ユニットの側面視で前記排出口の奥行き長さよりも大きく奥行き方向に窪んだ窪み空間であって装飾部品を収容可能な窪み空間を形成する窪み空間形成部と、
前端部が前記透明盤の前記貫通孔と連通して奥行き方向に向かうように構成され、後端部が前記窪み空間形成部に収容される前記装飾部品の奥行きよりも奥側に位置するように構成された奥側案内部と、
前記奥側案内部の後端部と前記排出口とを結ぶ通路部であって、その少なくとも一部に、前記窪み空間形成部の裏面側で下向きに延びる下向き通路部を有する連結通路部と、
前記窪み空間形成部と前記奥行き通路部とを備えた、樹脂成型部材である本体ユニットと、
を備え、
前記本体ユニットは、前記透明盤の裏面側で前記貫通孔の周囲箇所の少なくとも一部の箇所に向けて前記窪み空間が開口形成されるように前記窪み空間形成部を備えており、
前記装飾部品は、前記奥側案内部の前端部の少なくとも一部を囲むように設けられている
ことを特徴とするものである。
【発明の効果】
【０００９】
この発明に係る遊技機によれば、透明盤の裏面の装飾性を向上させることができる遊技機を提供することができる。
【図面の簡単な説明】
【００１０】
【図１】本発明の実施例１のパチンコ機の概略正面図である。
【図２】透明遊技盤の正面図である。
【図３】パチンコ機の裏面図である。
【図４】パチンコ機の電気的構成を示すブロック図である。
【図５】第３図柄表示装置の表示内容を示す説明図である。
【図６】実施例１の透明遊技盤の概略前面斜視図である。
【図７】実施例１の透明遊技盤の概略裏面斜視図である。
【図８】実施例１の透明遊技盤の背面に位置する集合通路盤を示す概略透視斜視図である。
【図９】実施例１の装飾部品を備えた状態の集合通路盤を前方右上から見た斜視図である。
【図１０】実施例１の集合通路盤を前方右上から見た分解斜視図である。
【図１１】（ａ），（ｂ）は、その順に、集合通路盤を後方左上から見た斜視図、前方左上から見た斜視図である。
【図１２】（ａ），（ｂ）は、その順に、集合通路盤を後方右上から見た斜視図、前方右上から見た斜視図である。
【図１３】（ａ）〜（ｄ）は、その順に、集合通路盤の右側面図、背面図、左側面図および底面図である。
【図１４】集合通路盤を後方右上から見た分解斜視図である。
【図１５】集合通路盤を前方右上から見た分解斜視図である。
【図１６】集合通路盤を後方左上から見た分解斜視図である。
【図１７】集合通路盤を前方左上から見た分解斜視図である。
【図１８】（ａ）〜（ｇ）は、その順に、集合通路盤本体の平面図、右側面図、背面図、左側面図、正面図、底面図および一部断面図である。
【図１９】（ａ）〜（ｆ）は、その順に、第１裏面側通路部品の平面図、右側面図、背面図、左側面図、正面図および底面図である。
【図２０】（ａ）〜（ｆ）は、その順に、第２裏面側通路部品の平面図、右側面図、背面図、左側面図、正面図および底面図である。
【発明を実施するための形態】
【００１１】
以下、パチンコ遊技機（以下、単に「パチンコ機」という）の各種の実施の形態を、図面に基づいて詳細に説明する。
【実施例１】
【００１２】
実施例１のパチンコ機を、図面に基づいて詳細に説明する。図１はパチンコ機１０の正面図であり、図２は、パチンコ機１０の透明遊技盤３０の正面図であり、図３は、パチンコ機１０の裏面図である。図４は、パチンコ機１０の電気的構成を示すブロック図である。図５は、第３図柄表示装置４２の表示内容を示す説明図である。
【００１３】
図１に示すように、パチンコ機１０は、当該パチンコ機１０の外殻を形成し遊技場（ホール）の遊技島に固定される外枠１１と、この外枠１１の一側部（例えば正面視での左側部）を開閉軸として外枠１１に対して開閉可能に支持された内枠１２と、この内枠１２の一側部（例えば正面視での左側部）を開閉軸として内枠１２に対して開閉自在に取り付けられる前面枠セット１４とを備えている。
【００１４】
外枠１１は、木製の板材により全体として正面視で矩形状に構成され、小ネジ等の離脱可能な締結具により各板材が組み付けられている。本実施の形態では、例えば、外枠１１の上下方向の外寸は８０９ｍｍ（内寸７７１ｍｍ）、左右方向の外寸は５１８ｍｍ（内寸４８０ｍｍ）となっている。なお、外枠１１は樹脂やアルミニウム等の軽金属などにより構成されていてもよい。
【００１５】
内枠１２は、大別すると、その外形を形成する主要部材としての樹脂ベース（図示省略）と、この樹脂ベース（図示省略）に取り付けられる透明樹脂製の透明遊技盤３０（図２参照）とを備えている。また、内枠１２は、図１に示すように、樹脂ベース（図示省略）の前面側で片開き自在な前面枠セット１４を備えている。
【００１６】
具体的には、樹脂ベース（図示省略）は、正面視で、その外形が略矩形状で、かつ、その略中央箇所を開口中心とする開口部（後述する遊技領域３０ａ（図２参照）と同等の大きさの開口）が形成された板状部材としている。
【００１７】
前面枠セット１４は、正面視左側で上下方向の開閉軸Ｊ１を軸心にして当該内枠１２に対して開閉自在に取り付けられている。言い換えれば、前面枠セット１４は、樹脂ベース（図示省略）に対して開閉自在となっている。
【００１８】
透明遊技盤３０（図２参照）は、その遊技領域３０ａを樹脂ベース（図示省略）の開口部に位置させるようにして当該樹脂ベースの裏面側に着脱自在に取り付けられる。
【００１９】
ここで、もう少し詳細に前面枠セット１４について説明する。
【００２０】
前面枠セット１４は、図１に示すように、内枠１２に対して開閉可能に取り付けられており、内枠１２と同様、パチンコ機１０の正面からみて左側に上下に延びる開閉軸を軸心にして前方側に開放できるようになっている。
【００２１】
前面枠セット１４は、図１に示すように、その前面視すると、最下部に位置する下皿ユニット１３と、この下皿ユニット１３の上側に位置する上皿ユニット２１と、この上皿ユニット２１の上側に位置するガラス枠部２３と、に大別される。これらの下皿ユニット１３と上皿ユニット２１とガラス枠部２３とは、図示省略のベース板体の前面側各箇所にそれぞれ取り付けられて前面枠セット１４が構成されている。
【００２２】
下皿ユニット１３は、図１に示すように、前面枠セット１４の最下部箇所に位置するように、ネジ等の締結具によりベース板体（図示省略）の正面視で最下部箇所に固定されている。この下皿ユニット１３は、その前面側に、下皿１５と球抜きレバー１７と遊技球発射ハンドル１８とを備えている。
【００２３】
球受皿としての下皿１５は、下皿ユニット１３のほぼ中央部に設けられており、排出口１６より排出された遊技球が下皿１５内に貯留可能である。球抜きレバー１７は、下皿１５内の遊技球を抜く（排出する）ためのものであり、この球抜きレバー１７を図１で左側に移動させることにより、下皿１５の底面の所定箇所が開口され、下皿１５内に貯留された遊技球を下皿１５の底面の開口部分を通して下方向外部に抜くことができる。
【００２４】
遊技球発射ハンドル１８は、下皿１５よりも右方で手前側に突出して配設されている。遊技者による遊技球発射ハンドル１８の操作に応じて、遊技球発射装置３８によって遊技球が後述する透明遊技盤３０の方へ打ち込まれる。遊技球発射装置３８は、例えば、遊技球発射ハンドル１８と発射装置２２９（図４参照）などで構成されている。音出力部２４は、前面枠セット１４の正面視で上部の左右２箇所で、その前面枠セット１４の内部あるいは背面箇所に設けられたスピーカからの音を出力するための出力口である。
【００２５】
上皿ユニット２１は、図１に示すように、前面枠セット１４の下部箇所（前述の下皿１５の上方位置）に位置するように、ネジ等の締結具によりベース板体（図示省略）の正面視で下部箇所に固定されており、遊技球の受皿としての上皿１９を備えている。ここで、上皿１９は、遊技球を一旦貯留し、一列に整列させながら遊技球発射装置３８の方へ導出するための球受皿である。
【００２６】
ガラス枠部２３は、図１に示すように、上皿ユニット２１の上側に形成された窓部１０１と、この窓部１０１の周囲に設けられた各種の電飾部とを備えている。
【００２７】
つまり、前面枠セット１４には、図１に示すように、上皿ユニット２１の上側に位置するガラス枠部２３の中央箇所に、透明遊技盤３０の遊技領域３０ａ（図２参照）のほとんどを外部から視認することができるよう略縦長楕円形状の窓部１０１が形成されている。詳しくは、窓部１０１は、略縦長楕円形状で中央が空洞となっており、その空洞部分を略縦長楕円形状等のガラス板１３７で覆うように、図示省略のガラスユニットが前面枠セット１４の裏面側に取り付けられたものである。図示省略のガラスユニットは、二枚のガラス板１３７を前後方向に近設させて並べた二重ガラス構造としている。なお、窓部１０１の前記略中央部が直線状になるようにし、ガラス板１３７もその形状に合わせるようにしてもよい。また、ガラス板１３７は、ガラスに限定されず、所定の強度がある透明板であればその材質などは問わない。
【００２８】
さらに、ガラス枠部２３は、図１に示すように、窓部１０１の周囲に各種の電飾部（第１電飾部３００、第２電飾部３０２および第３電飾部３０４）を備えている。つまり、前面枠セット１４は、図１に示すように、その前面視した状態で窓部１０１の周囲で左箇所に、ＬＥＤ等を内蔵した第１電飾部３００（左側電飾部）を、窓部１０１の周囲で右箇所に、ＬＥＤ等を内蔵した第２電飾部３０２（右側電飾部）を、窓部１０１の周囲で上箇所に、ＬＥＤ等を内蔵した第３電飾部３０４（上側電飾部）を備えている。これらの電飾部は、大当たり時や所定のリーチ時等における遊技状態の変化に応じて点灯、点滅のように発光態様が変更制御され遊技中の演出効果を高める役割を果たすものである。
【００２９】
本パチンコ機１０では、第１電飾部３００、第２電飾部３０２および第３電飾部３０４は、大当たりランプとして機能し、大当たり時に点灯や点滅を行うことにより、大当たり中であることを報知する。その他、本パチンコ機１０の第１電飾部３００および第２電飾部３０２には、賞球払出し中に点灯する賞球ランプ１０５と、所定のエラー時に点灯するエラー表示ランプ１０６とが備えられている。また、窓部１０１の周縁で右斜め下箇所には、内枠１２表面や透明遊技盤３０表面等の一部を視認できるよう透明樹脂からなる小窓１０７が設けられている。この小窓１０７の所定箇所を平面状としているので、透明遊技盤３０の右下隅部に貼り付けられた証紙などを、小窓１０７の当該平面状箇所から機械で好適に読み取ることができる。
【００３０】
また、窓部１０１の下方には貸球操作部１２０が配設されており、貸球操作部１２０には球貸しボタン１２１と返却ボタン１２２とが設けられている。パチンコ機１０の側方に配置された図示しないカードユニット（球貸しユニット）に紙幣やカード（例えばプリペイドカード）等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。なお、貸球操作部１２０にさらに度数表示部（図示省略）を設けるようにしてもよい。この度数表示部（図示省略）は、カード等の残額情報を表示するものである。なお、カードユニットを介さずに球貸し装置等から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００３１】
透明遊技盤３０は、図２に示すように、正面視で四角形状の合板でその左側の両角部が取れたような形状としており、その周縁部（後述するレール５１，５２の外側部分）が内枠１２の樹脂ベース（図示省略）の裏側に当接した状態で取着されており、この透明遊技盤３０の前面側の略中央部分たる遊技領域３０ａが樹脂ベースの略楕円形状の図１に示した窓部１０１（ガラス板１３７）を通じて前面枠セット１４の前方外側から視認可能な状態である。
【００３２】
次に、図２を用いて透明遊技盤３０の構成を説明する。透明遊技盤３０は、一般入賞口３１、可変入賞装置３２、始動入賞装置３３（例えば作動チャッカ）、第３の始動口３４（例えばスルーゲート）および可変表示装置ユニット３５を備えている。これらの一般入賞口３１、可変入賞装置３２、始動入賞装置３３、第３の始動口３４および可変表示装置ユニット３５は、透明遊技盤３０における、ルータ加工によって形成された各貫通穴にそれぞれに配設され、透明遊技盤３０前面側から木ネジ等により取り付けられている。一般入賞口３１、可変入賞装置３２、始動入賞装置３３に遊技球が入球し、当該入球が後述する図示省略の検出スイッチ（入賞口スイッチ、カウントスイッチ、作動口スイッチ）で検出され、この検出スイッチの出力に基づいて、上皿１９（または下皿１５）へ所定数の賞品球が払い出される。
【００３３】
また、始動入賞装置３３は、図２に示すように、上から順に、第１の始動口３３ａ（例えば作動チャッカ）と第２の始動口３３ｂ（例えば作動チャッカ）とが上下に配設された単一の入賞装置で構成されている。そして、上部側の第１の始動口３３ａには図示省略の第１の始動口３３ａ用の作動口スイッチ（通過検出スイッチ）が設けられ、この第１の始動口３３ａへの入球をその第１の始動口３３ａ用の作動口スイッチ（図示省略）により検出される。また、下部側の第２の始動口３３ｂには図示省略の第２の始動口３３ｂ用の作動口スイッチ（通過検出スイッチ）が設けられ、この第２の始動口３３ｂへの入球をその第２の始動口３３ｂ用の作動口スイッチ（図示省略）により検出される。すなわち、上部側の第１の始動口３３ａへの遊技球の入球または下部側の第２の始動口３３ｂへの遊技球の入球のどちらの場合にも、それが始動入賞であることに変わりは無く、それらの入球を個別に検出できる。
【００３４】
その他に、図２に示すように、透明遊技盤３０にはアウト口３６が設けられており、各種入賞装置等に入球しなかった遊技球はこのアウト口３６を通って図示しない球排出路の方へと案内される。透明遊技盤３０には、遊技球の落下方向を適宜分散、調整等するために多数の釘が植設されているとともに、風車３７等の各種部材（役物）が配設されている。
【００３５】
可変表示装置ユニット３５は、第１の始動口３３ａ，第２の始動口３３ｂへの入賞をトリガとして、識別情報としての第１図柄（例えば特別図柄）を変動表示する第１図柄表示装置４０と、第３の始動口３４の通過をトリガとして、第２図柄（例えば普通図柄）を変動表示する第２図柄表示装置４１と、第１の始動口３３ａ，第２の始動口３３ｂへの入賞をトリガとして、第３図柄（例えば装飾図柄）を変動表示する第３図柄表示装置４２とを備えている。
【００３６】
第１図柄表示装置４０は、例えば、第１の始動口３３ａへの入球に基づいて変動発光等する複数個（本実施例では２個）の２色発光タイプのＬＥＤ（発光ダイオード）４０ａ，４０ｂと、このＬＥＤ４０ａ，４０ｂでの変動表示の保留数を示す保留ランプ４０ｃと、第２の始動口３３ｂへの入球に基づいて変動発光等する複数個（本実施例では２個）の２色発光タイプのＬＥＤ（発光ダイオード）４０ｄ，４０ｅと、このＬＥＤ４０ｄ，４０ｅでの変動表示の保留数を示す保留ランプ４０ｆとを備えている。
【００３７】
第１の始動口３３ａへの入球に基づいて変動発光等するＬＥＤ４０ａ，４０ｂは、例えば、赤色と青色に発光可能なものである。第１図柄表示装置４０は、各ＬＥＤ４０ａ，４０ｂの発光色を交互に変更させることで、第１図柄（本実施例では各ＬＥＤ４０ａ，４０ｂの発光色態様）の変動表示状態を発生させ、例えば、両方のＬＥＤ４０ａ，４０ｂが赤色発光状態で停止すると確変大当り（特定当り）を示し、両方のＬＥＤ４０ａ，４０ｂが青色発光状態で停止すると通常大当り（非特定当り）を示し、両方のＬＥＤ４０ａ，４０ｂが互いに異なる色の発光状態で停止すると外れを示す。
【００３８】
上記と同様に、第２の始動口３３ｂへの入球に基づいて変動発光等するＬＥＤ４０ｄ，４０ｅは、例えば、赤色と青色に発光可能なものである。第１図柄表示装置４０は、各ＬＥＤ４０ｄ，４０ｅの発光色を交互に変更させることで、第１図柄（本実施例では各ＬＥＤ４０ｄ，４０ｅの発光色態様）の変動表示状態を発生させ、例えば、両方のＬＥＤ４０ｄ，４０ｅが赤色発光状態で停止すると確変大当り（特定当り）を示し、両方のＬＥＤ４０ｄ，４０ｅが青色発光状態で停止すると通常大当り（非特定当り）を示し、両方のＬＥＤ４０ｄ，４０ｅが互いに異なる色の発光状態で停止すると外れを示す。
【００３９】
なお、この第１図柄表示装置４０として、少なくとも３色以上の発光が可能なタイプの単一のＬＥＤを採用してもよく、各色の発光を交互などに行うようにすることで、第１図柄の変動表示状態を発生させ、ＬＥＤが第１の色の発光状態で停止すると確変大当り（特定当り）を示し、ＬＥＤが第２の色の発光状態で停止すると通常大当り（非特定当り）を示し、ＬＥＤが第３の色の発光状態で停止すると外れを示すようにしてもよい。なお、上述した第１図柄表示装置４０が本発明における識別情報変動表示手段に相当する。
【００４０】
第２図柄表示装置４１は、第２図柄用としての例えば「○」が描かれた表示部４１ａと、第２図柄用としての例えば「×」が描かれた表示部４１ｂと、保留ランプ４１ｃとを有し、遊技球が第２の始動口３４を通過する毎に例えば表示部４１ａ，４１ｂによる表示図柄（普通図柄）が変動し、その変動表示が所定図柄で停止した場合に下部側の第２の始動口３３ｂが所定時間だけ作動状態となる（開放される）よう構成されている。遊技球が第２の始動口３４を通過した回数は最大４回まで保留され、その保留回数が保留ランプ４１ｃにて点灯表示される。なお、表示部４１ａ，４１ｂは、その内部にＬＥＤ（発光ダイオード）を有しており、このＬＥＤの発光（あるいはランプの点灯）を切り換えることにより変動表示される構成としている。なお、上述した第２図柄表示装置４１が本発明における普通識別情報変動表示手段に相当する。
【００４１】
第３図柄表示装置４２は、例えば液晶表示装置で構成されており、後述する表示制御装置４５により表示内容が制御される。第３図柄表示装置４２には、例えば後述する図５に示すように、左、中及び右の３つの装飾図柄列Ｌ，Ｍ，Ｒが表示される。各装飾図柄列Ｌ，Ｍ，Ｒは複数の装飾図柄によって構成されており、これら装飾図柄が装飾図柄列Ｌ，Ｍ，Ｒ毎にスクロールされるようにして第３図柄表示装置４２に可変表示される。なお本実施の形態では、第３図柄表示装置４２（液晶表示装置）は、例えば、１１インチサイズの大型の液晶ディスプレイを備える。可変表示装置ユニット３５には、正面視した状態で第３図柄表示装置４２の表示画面をほぼ囲むようにしてこの第３図柄表示装置４２の前方側にセンターフレーム４７が配設されている。本実施形態では第３図柄表示装置４２としてＬＣＤを採用するが他の種類の画像表示装置（例えば、ＰＤＰ：プラズマ・ディスプレイ・パネルや、ＥＬ：エレクトロ・ルミネッセンス・ディスプレイや、有機ＥＬなど）でもよい。なお、上述した第３図柄表示装置４２が本発明における装飾識別情報（図柄）変動表示手段に相当し、上述した表示制御装置４５が本発明における表示制御手段に相当する。
【００４２】
図２に示すように、可変入賞装置３２は、通常は遊技球が入賞できない又は入賞し難い閉状態になっており、大当りの際に遊技球が入賞しやすい開状態と通常の閉状態とに繰り返し作動されるものである。このように、大当りの際に可変入賞装置３２が開状態と通常の閉状態とに繰り返し作動される状態は、特定遊技状態（例えば、大当り状態）と呼ばれ、可変入賞装置３２に多数の遊技球が入球（入賞）し、その入賞に対して大量の遊技球が賞球払い出しされることから、遊技者にとって有利な遊技状態となっている。つまり、本実施例のパチンコ機１０は、遊技球の投入数（遊技球発射装置３８による遊技球の遊技領域３０ａへの発射数）の方が、遊技球の賞球払出数（一般入賞口３１、可変入賞装置３２、始動入賞装置３３、第３の始動口３４などへの遊技球の入球に基づく賞球払出数）よりも多い通常遊技状態（遊技球消費状態）と、遊技球の賞球払出数の方が遊技球の投入数よりも多い特定遊技状態（例えば、大当り状態）とに状態変移可能なものである。
【００４３】
より詳しくは、第１の始動口３３ａに対し遊技球が入賞すると第１図柄表示装置４０の２個のＬＥＤ４０ａ，４０ｂが変動表示され、その変動停止後のＬＥＤ４０ａ，４０ｂの表示が予め設定した発光態様の組合せとなった場合に特定遊技状態が発生する。例えば、両方のＬＥＤ４０ａ，４０ｂが赤色発光状態で停止するという発光態様の場合には、確変大当り（特定当り）の特定遊技状態に当選したことを示し、両方のＬＥＤ４０ａ，４０ｂが青色発光状態で停止するという発光態様の場合には、通常大当り（非特定当り）の特定遊技状態に当選したことを示し、両方のＬＥＤ４０ａ，４０ｂが互いに異なる色の発光状態で停止するという発光態様の場合には外れ（特定遊技状態に落選したこと）を示す。
【００４４】
上記と同様に、第２の始動口３３ｂに対し遊技球が入賞すると第１図柄表示装置４０の２個のＬＥＤ４０ｄ，４０ｅが変動表示され、その変動停止後のＬＥＤ４０ｄ，４０ｅの表示が予め設定した発光態様の組合せとなった場合に特定遊技状態が発生する。例えば、両方のＬＥＤ４０ｄ，４０ｅが赤色発光状態で停止するという発光態様の場合には、確変大当り（特定当り）の特定遊技状態に当選したことを示し、両方のＬＥＤ４０ｄ，４０ｅが青色発光状態で停止するという発光態様の場合には、通常大当り（非特定当り）の特定遊技状態に当選したことを示し、両方のＬＥＤ４０ｄ，４０ｅが互いに異なる色の発光状態で停止するという発光態様の場合には外れ（特定遊技状態に落選したこと）を示す。
【００４５】
そして、可変入賞装置３２は、その大入賞口３２ａが所定の開放状態となり、遊技球が入賞しやすい状態（大当たり状態）になるよう構成されている。具体的には、当該開放状態についての所定時間の経過又は所定個数の入賞を１ラウンドとして、可変入賞装置３２の大入賞口３２ａが所定回数（ラウンド数）繰り返し開放される。また、遊技球が第１の始動口３３ａを通過した回数は最大４回まで保留され、その保留回数が保留ランプ４０ｃにて表示される。また、遊技球が第２の始動口３３ｂを通過した回数も最大４回まで保留され、その保留回数が保留ランプ４０ｆにて表示される。なお、保留ランプ４０ｃ，４０ｆは、第３図柄表示装置４２の表示画面の一部で保留表示等される構成等であっても良い。
【００４６】
また、透明遊技盤３０には、図２に示すように、遊技球発射装置３８（図３参照）から発射された遊技球を透明遊技盤３０上部へ案内するための複数本のレール５１，５２が取り付けられており、遊技球発射ハンドル１８の回動操作に伴い発射された遊技球は複数本のレール５１，５２の後述する球案内通路４９を通じて所定の遊技領域３０ａに案内されるようになっている。複数本のレール５１，５２は長尺状をなすステンレス製の金属帯状部材であり、内外二重に透明遊技盤３０に取り付けられている。内レール５１は上方の約１／４ほどを除いて略縦楕円環状に形成されている。外レール５２は、一部（主に左側部）が内レール５１に向かい合うようにして形成されている。かかる場合、内レール５１と外レール５２とにより誘導レールが構成され、これら各レール５１，５２が所定間隔を隔てて並行する部分（向かって左側の部分）により球案内通路４９が形成されている。なお、球案内通路４９は、透明遊技盤３０との当接面を有した溝状、すなわち手前側を開放した溝状に形成されている。
【００４７】
内レール５１の先端部分（図２の左上部）には戻り球防止部材５３が取着されている。これにより、一旦、内レール５１及び外レール５２間の球案内通路４９から透明遊技盤３０の上部へと案内された遊技球が再度球案内通路４９内に戻ってしまうといった事態が防止されるようになっている。また、透明遊技盤３０が内枠１２に取り付けられた状態において、外レール５２における、遊技球の最大飛翔部分に対応する位置（図２の右上部：外レール５２の先端部に相当する部位）には、内枠１２に設けられた返しゴム５４（図２に二点鎖線で示す部材）が位置している。従って、所定以上の勢いで発射された遊技球は、返しゴム５４に当たって跳ね返されるようになっている。外レール５２は、長尺状をなすステンレス製の金属帯としているので、遊技球の飛翔をより滑らかなものとする、つまり遊技球の摩擦抵抗を少なくすることができる。なお、図２に破線で示すように、外レール５２の先端部から内レール５１の右側先端部までは、内枠１２に形成された壁部６０（図２に破線で示す）が位置することにより、遊技領域３０ａが仕切られている。
【００４８】
なお、透明遊技盤３０の右下隅部は、証紙（例えば製造番号が記載されている）等のシール（図２のＳ１）やプレートを貼着するためのスペースとなっている。透明遊技盤３０の右下隅部に、証紙等のシール（図２のＳ１）を貼着することで、透明遊技盤３０と証紙との一義性を持たせることができる。
【００４９】
次に、透明遊技盤３０の遊技領域３０ａについて説明する。遊技領域３０ａは、図２に示すように、内レール５１と外レール５２との内周部（内外レール）により略縦長円形状に区画形成されており、特に本実施の形態では、透明遊技盤３０の盤面上に区画される当該遊技領域３０ａが大きく構成されている。
【００５０】
本実施の形態では、遊技領域３０ａを、パチンコ機１０の正面から見て、内レール５１及び外レール５２によって囲まれる領域のうち、内外レール５１，５２の並行部分である誘導レールの領域を除いた領域としている。従って、遊技領域３０ａと言った場合には誘導レール部分は含まないため、遊技領域３０ａの向かって左側限界位置は外レール５２によってではなく内レール５１によって特定される。同様に、遊技領域３０ａの向かって右側限界位置は内レール５１によって特定される。また、遊技領域３０ａの下側限界位置は透明遊技盤３０の下端位置によって特定される。また、遊技領域３０ａの上側限界位置は外レール５２によって特定される。
【００５１】
なお、詳しい図面の開示は省略するが、遊技球発射装置３８には、前面枠セット１４の図示省略の球出口（上皿１９の最下流部より通じる球出口）から遊技球が１つずつ供給される。
【００５２】
次に、パチンコ機１０の背面の構成について説明する。図３に示すように、パチンコ機１０は、その背面（実際には内枠１２及び透明遊技盤３０の背面）において、各種制御基板が上下左右に並べられるようにして又は前後に重ねられるようにして配置されており、さらに、遊技球を供給するための遊技球供給装置（払出機構部３５２）や樹脂製の保護カバー等が取り付けられている。本実施の形態では、各種制御基板を２つの取付台（図示省略）に分けて搭載して２つの制御基板ユニットを構成し、それら制御基板ユニットを個別に内枠１２又は透明遊技盤３０の裏面に装着するようにしている。この場合、後述する図４に示した主制御装置２６１とサブ制御装置２６２とを、透明遊技盤３０に取り付けられる別々の取付台（図示省略）に搭載してそれぞれユニット化すると共に、後述する図４に示した払出制御装置３１１、発射制御装置３１２及び電源装置３１３を別の取付台（図示省略）に搭載してユニット化している。ここでは便宜上、前者のユニットを「第１制御基板ユニット２０１」と称し、後者のユニットを「第２制御基板ユニット２０２」と称することとする。
【００５３】
なお、本実施例では、透明遊技盤３０の下側領域部分には、図２に破線で示すように、後述する集合通路盤６０が設けられ、遊技領域３０ａのうちでセンターフレーム４７の周囲箇所には透明遊技盤３０の背後にセルシート（装飾シート）が設けられているため、透明遊技盤３０の背後の上述の第１制御基板ユニット２０１や第２制御基板ユニット２０２などが透明遊技盤３０の正面視で透けて見えるようなことがない。また、第３図柄表示装置４２として、遊技領域３０ａのうちで図２で破線で示す集合通路盤６０以外の領域をカバーする、より大型な液晶表示装置を採用するようにしてもよい。
【００５４】
また、払出機構部３５２及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【００５５】
第１制御基板ユニット２０１、第２制御基板ユニット２０２及び裏パックユニット２０３は、ユニット単位で何ら工具等を用いずに着脱できるよう構成されており、さらにこれに加え、一部に支軸部を設けて内枠１２又は透明遊技盤３０の裏面に対して開閉できる構成としている。これは、各ユニット２０１〜２０３やその他構成が前後に重ねて配置されても、隠れた構成等を容易に確認することを可能とするための工夫でもある。
【００５６】
また、透明遊技盤３０の裏面には、各種入賞口などの遊技球の通過を検出するための入賞感知機構などが設けられている。具体的には、透明遊技盤３０表側の一般入賞口３１に対応する位置には入賞口スイッチが設けられ、可変入賞装置３２にはカウントスイッチが設けられている。カウントスイッチは入賞球をカウントするスイッチである。また、第１の始動口３３ａ，第２の始動口３３ｂに対応する位置には第１の始動口３３ａ用の作動口スイッチと第２の始動口３３ｂ用の作動口スイッチとがそれぞれ設けられ、第１の始動口３３ａ，第２の始動口３３ｂへの遊技球の入球を当該作動口スイッチで検出される。第３の始動口３４に対応する位置にはゲートスイッチが設けられ、第３の始動口３４への遊技球の通過を当該ゲートスイッチで検出される。
【００５７】
入賞口スイッチ及びゲートスイッチは、図示しない電気配線を通じて盤面接続基板（図示省略）に接続され、さらにこの盤面接続基板が後述する主制御装置２６１内の主制御基板２６１ａ（図４参照）に接続されている。また、カウントスイッチは大入賞口中継端子基板（図示省略）に接続され、さらにこの大入賞口中継端子基板（図示省略）がやはり主制御基板２６１ａに接続されている。これに対し、作動口スイッチは中継基板を介さずに直接に主制御基板２６１ａに接続されている。
【００５８】
その他図示は省略するが、可変入賞装置３２には、大入賞口３２ａを開放するための大入賞口ソレノイドが設けられ、下部側の第２の始動口３３ｂには、電動役物を開放するための作動口ソレノイドが設けられている。
【００５９】
上記入賞感知機構にて各々検出された検出結果は、後述する主制御装置２６１内の主制御基板２６１ａに取り込まれ、該主制御基板２６１ａよりその都度の入賞状況に応じた払出指令（遊技球の払出個数）が払出制御基板３１１ａに送信される。そして、該払出制御基板３１１ａの出力により所定数の遊技球の払出が実施される。
【００６０】
第１制御基板ユニット２０１は、例えば略矩形状の取付台（図示省略）を上下２つ有し、透明遊技盤３０の裏面側から見た状態での下側の取付台に主制御装置２６１が搭載され、上側の取付台にサブ制御装置２６２が搭載されている。ここで、主制御装置２６１は、図４に示すように、主たる制御を司るＣＰＵ５０１と、遊技プログラムを記憶したＲＯＭ５０２と、遊技の進行に応じた必要なデータを記憶するＲＡＭ５０３と、各種機器との連絡をとる入出力ポート５０５と、各種抽選の際に用いられる乱数発生器（図示省略）と、時間計数や同期を図る場合などに使用されるクロックパルス発生回路（図示省略）などを含む主制御基板２６１ａを具備しており、この主制御基板２６１ａが透明樹脂材料等よりなる基板ボックス２６３（被包手段）に収容されて構成されている。なお、基板ボックス２６３は、略直方体形状のボックスベース（図示省略）と該ボックスベースの開口部を覆うボックスカバー（図示省略）とを備えている。これらボックスベースとボックスカバーとは、封印ユニット（図示省略）によって開封不能に連結され、これにより基板ボックス（図示省略）が封印されている。
【００６１】
また、サブ制御装置２６２は、例えば主制御装置２６１内の主制御基板２６１ａからの指示に従い音声やランプ表示の制御や表示制御装置４５の制御を司るＣＰＵ５５１や、その他ＲＯＭ５５２、ＲＡＭ５５３、バスライン５５４及び入出力ポート５５５等を含むサブ制御基板２６２ａを具備しており、このサブ制御基板２６２ａが透明樹脂材料等よりなる基板ボックス（図示省略）に収容されて構成されている。サブ制御装置２６２上には電源中継基板（図示省略）が搭載されており、後述する電源基板より供給される電源がこの電源中継基板（図示省略）を介してサブ制御装置２６２および表示制御装置４５に出力されるようになっている。
【００６２】
第２制御基板ユニット２０２は横長形状をなす取付台（図示省略）を有し、この取付台に払出制御装置３１１、発射制御装置３１２、電源装置３１３及びカードユニット接続基板３１４が搭載されている。払出制御装置３１１は制御の中枢をなすＣＰＵや、その他ＲＯＭ、ＲＡＭ、各種ポート等を含む制御基板を具備しており、発射制御装置３１２は発射制御基板を具備しており、電源装置３１３は電源制御基板を具備している。払出制御装置３１１の払出制御基板３１１ａは、賞品球や貸出球の払出を制御する。また、発射制御装置３１２の発射制御基板により、遊技者による遊技球発射ハンドル１８の操作に従い発射装置２２９（図４参照）の制御が行われ、電源装置３１３の電源基板により、各種制御装置等で要する所定の電源電圧が生成され出力される。本実施例の発射装置２２９は、発射ソレノイド（図示省略）への通電／非通電に従って進退自在な発射槌部（図示省略）で遊技球を打ちつけて発射させるソレノイド式発射部品を採用しているが、それ以外の発射装置２２９としては、発射モータの駆動に従って動作する発射杵で遊技球を打ちつけて発射させる機械式発射部品や、電磁場を発生させることで遊技球を発射させる電磁式発射部品など種々のタイプのものが採用できる。カードユニット接続基板３１４は、パチンコ機前面の貸球操作部１２０（図１参照）及び図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【００６３】
上記払出制御装置３１１、発射制御装置３１２、電源装置３１３及びカードユニット接続基板３１４は、透明樹脂材料等よりなる基板ボックスにそれぞれ収容されて構成されている。特に、払出制御装置３１１では、前述した主制御装置２６１と同様、基板ボックス（被包手段）を構成するボックスベース（図示省略）とボックスカバー（図示省略）とが封印ユニット（封印手段）によって開封不能に連結され、これにより基板ボックス２６３が封印されている。
【００６４】
払出制御装置３１１には状態復帰スイッチ（図示省略）が設けられている。例えば、払出モータ部の球詰まり等、払出エラーの発生時において状態復帰スイッチ（図示省略）が押下されると、払出モータ３５８ａ（図４参照）がゆっくり正回転され、球詰まりの解消（正常状態への復帰）が図られるようになっている。
【００６５】
また、電源監視基板２６１ｂにはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰できる。従って、通常手順で（例えばホールの営業終了時に）電源遮断すると電源遮断前の状態が記憶保持されることから、電源投入時に初期状態に戻したい場合には、ＲＡＭ消去スイッチ３２３を押しながら電源を投入することとしている。
【００６６】
次に、裏パックユニット２０３の構成を説明する。裏パックユニット２０３は、図３に示すように、樹脂成形された裏パック３５１と遊技球の払出機構部３５２とを一体化したものである。
【００６７】
裏パックユニット２０３は、その最上部に上方に開口したタンク３５５が設けられており、このタンク３５５には遊技ホールの島設備（遊技島設備）から供給される遊技球が逐次補給される。タンク３５５の下方には、例えば横方向２列の球通路を有し下流側に向けて緩やかに下り傾斜するタンクレール３５６が連結され、さらにタンクレール３５６の下流側には縦向きにケースレール３５７が連結されている。ケースレール３５７の最下流部には、払出装置３５８が設けられ、払出モータ３５８ａ等の所定の電気的構成により必要個数の遊技球の払出が適宜行われる。そして、払出装置３５８より払い出された遊技球は払出通路（図示省略）等を通じて前記上皿１９に供給される。
【００６８】
また、タンクレール３５６には、当該タンクレール３５６に振動を付加するためのバイブレータ３６０が設けられている。例えば、バイブレータ３６０が例えば２本のネジでタンクレール３５６に締結されて取り付けられる。さらに、バイブレータ３６０は、タンクレール３５６に面接触するのではなく、当該２本のネジの部分で接触しており、バイブレータ３６０による振動がより効果的にタンクレール３５６に伝わる。従って、仮にタンクレール３５６付近で球詰まりが生じた際、バイブレータ３６０が駆動されることで球詰まりが解消される。
【００６９】
払出機構部３５２には、払出制御装置３１１から払出装置３５８への払出指令の信号を中継する払出中継基板（図示省略）が設置されると共に、外部より主電源を取り込むための電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦとされる。
【００７０】
タンク３５５から払出通路（図示省略）に至るまでの払出機構部３５２は何れも導電性を有する樹脂材料（例えば導電性ポリカーボネート樹脂）にて成形され、その一部にてアースされている。これにより、遊技球の帯電によるノイズの発生が抑制される。
【００７１】
なお、図３に示すように、内枠１２の右上側には、内枠１２が外枠１１に対して開かれたことを検出する内枠開検出スイッチ３８８が設けられている。内枠１２が開かれると、内枠開検出スイッチ３８８からホール内（パチンコ店内）用コンピュータへ出力される。
【００７２】
次に、本パチンコ機１０の電気的構成について、図４を用いて説明する。本パチンコ機１０は、主制御装置２６１と、払出制御装置３１１と、発射制御装置３１２と、サブ制御装置２６２と、表示制御装置４５と、電源装置３１３などを備えている。以下に、これらの装置を個別に詳細に説明する。
【００７３】
パチンコ機１０の主制御装置２６１には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、割込回路やタイマ回路、データ送受信回路などの各種回路が内蔵されている。
【００７４】
ＲＡＭ５０３は、パチンコ機１０の電源のオフ後においても電源装置３１３からバックアップ電圧が供給されてデータが保持（バックアップ）できる構成としており、ＲＡＭ５０３には、各種のデータ等を一時的に記憶するためのメモリやエリアを備えている。
【００７５】
つまり、停電などの発生により電源が切断された場合において、主制御装置２６１のＣＰＵ５０１は、通常処理を最後までを実行するので、ＲＡＭ５０３は、電源切断時（停電発生時を含む。以下同様）のカウンタ用バッファや保留球格納エリアの内容を記憶保持するだけでよく、電源の再入時にパチンコ機１０の状態を電源切断前の状態に復帰させることができる。具体的には、電源切断時（停電発生時を含む。以下同様）における通常処理の途中の遊技情報についての各レジスタやＩ／Ｏ等の値を記憶しておくための専用のバックアップエリアをＲＡＭ５０３に設ける必要がない。なお、ＣＰＵ５０１のＮＭＩ端子（ノンマスカブル割込端子）には、停電等の発生による電源断時に、後述する停電監視回路５４２から出力される停電信号Ｓ１が入力されるように構成されており、停電の発生により、停電処理（ＮＭＩ割込み処理）が即座に実行される。
【００７６】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、発射制御装置３１２、サブ制御装置２６２、第１図柄表示装置４０、第２図柄表示装置４１や、その他図示しないスイッチ群などが接続されている。また、主制御装置２６１は、第１図柄表示装置４０における第１図柄の変動表示と、第２図柄表示装置４１における第２図柄の変動表示とを制御する機能を備えている。
【００７７】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成としており、ＲＡＭ５１３には、各種のデータ等を一時的に記憶するためのメモリやエリアを備えている。
【００７８】
ＲＡＭ５１３は、停電などの発生により電源が切断された場合において、電源の再入時にパチンコ機１０の状態を電源切断前の状態に復帰させるべく、電源切断時の状態に関する情報を記憶保持する。つまり、このＲＡＭ５１３の記憶保持は、ＮＭＩ割込み処理と払出制御処理の後半部分のステップとによって電源切断時に実行され、逆にＲＡＭ５１３の記憶情報の復帰は、電源入時の復電処理において実行される。
【００７９】
ＲＡＭ５１３は、停電などの発生により電源が切断された場合において、電源の再入時にパチンコ機１０の状態を電源切断前の状態に復帰させるべく、電源切断時の状態に関する情報を記憶保持する。つまり、このＲＡＭ５１３の記憶保持は、ＮＭＩ割込み処理と払出制御処理の後半部分のステップとによって電源切断時に実行され、逆にＲＡＭ５１３の記憶情報の復帰は、電源入時の復電処理において実行される。
【００８０】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、主制御装置２６１、発射制御装置３１２、払出モータ３５８ａなどがそれぞれ接続されている。
【００８１】
図４に示すように、発射制御装置３１２は、発射装置２２９による遊技球の発射を許可又は禁止するものであり、発射装置２２９は、所定条件が整っている場合に駆動が許可される。具体的には、発射制御装置３１２は、払出制御装置３１１からのカードユニット接続信号Ｓ４（前述したカードユニットがパチンコ機１０に接続されている場合に出力される信号である）と、遊技者が遊技球発射ハンドル１８をタッチしている場合に出力されるタッチ検出信号Ｓ５と、遊技球発射ハンドル１８に設けられている、発射を停止させるための発射停止スイッチ１８ａが操作されていない場合に出力される発射維持信号Ｓ６との全てが入力されていることを条件に、発射許可信号Ｓ７を主制御装置２６１に出力する。
【００８２】
すなわち、発射許可信号Ｓ７がＯＮ（ハイレベル）である期間は発射許可状態であり、発射許可信号Ｓ７がＯＦＦ（ローレベル）である期間は発射不許可状態である。つまり、主制御装置２６１は、入力される発射許可信号Ｓ７がＯＮ（ハイレベル）である期間において、遊技球を発射する発射ソレノイド（図示省略）の制御を行う発射制御信号Ｓ８（パルス信号）と、発射レール４０１に遊技球を送る球送りソレノイドの制御を行う球送り制御信号Ｓ９（パルス信号）とを、発射制御装置３１２に所定の繰り返し周期で繰り返し出力する。発射制御装置３１２は、発射制御信号Ｓ８及び球送り制御信号Ｓ９に基づいて発射装置２２９を駆動制御し、遊技球発射ハンドル１８の操作量に応じた強度で遊技球が発射される。逆に、主制御装置２６１は、入力される発射許可信号Ｓ７がＯＦＦ（ローレベル）である期間においては、発射制御信号Ｓ８及び球送り制御信号Ｓ９を発射制御装置３１２に出力せず、発射装置２２９によって遊技球が発射されることはない。
【００８３】
表示制御装置４５は、第３図柄表示装置４２における第３図柄（装飾図柄）の変動表示を制御するものである。この表示制御装置４５は、ＣＰＵ５２１と、ＲＯＭ（プログラムＲＯＭ）５２２と、ワークＲＡＭ５２３と、ビデオＲＡＭ５２４と、キャラクタＲＯＭ５２５と、画像コントローラ５２６と、入力ポート５２７と、出力ポート５２９と、バスライン５３０，５３１とを備えている。入力ポート５２７の入力にはサブ制御装置２６２の出力が接続され、入力ポート５２７には、ＣＰＵ５２１、ＲＯＭ５２２、ワークＲＡＭ５２３、画像コントローラ５２６が接続されている。また、画像コントローラ５２６にはバスライン５３１を介して出力ポート５２９が接続されており、その出力ポート５２９の出力には液晶表示装置である第３図柄表示装置４２が接続されている。
【００８４】
表示制御装置４５のＣＰＵ５２１は、主制御装置２６１からの各種コマンドがサブ制御装置２６２で編集等されて送信される各種コマンドに基づいて、第３図柄表示装置４２での装飾図柄表示を制御する。ＲＯＭ５２２は、そのＣＰＵ５２１により実行される各種の制御プログラムや固定値データを記憶するためのメモリであり、ワークＲＡＭ５２３は、ＣＰＵ５２１による各種プログラムの実行時に使用されるワークデータやフラグを一時的に記憶するためのメモリである。
【００８５】
ビデオＲＡＭ５２４は、第３図柄表示装置４２に表示される表示データを記憶するためのメモリであり、このビデオＲＡＭ５２４の内容を書き替えることにより、第３図柄表示装置４２の表示内容が変更される。キャラクタＲＯＭ５２５は、第３図柄表示装置４２に表示される装飾図柄などのキャラクタデータを記憶するためのメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを、キャラクタＲＯＭ５２５から所定のタイミングで読み出して第３図柄表示装置４２に表示させるものである。
【００８６】
また、電源装置３１３は、パチンコ機１０の各部に電力を供給するための電源部５４１とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【００８７】
図４に示すように、主制御装置２６１は、透明樹脂材料等よりなる基板ボックス２６３内に、主制御基板２６１ａと、この主制御基板２６１ａとは別体の電源監視基板２６１ｂとを備えている。電源監視基板２６１ｂは、停電等による電源遮断を監視する停電監視回路５４２と、ＲＡＭ消去スイッチ３２３に接続されてなるＲＡＭ消去スイッチ回路５４３とを備えている。
【００８８】
停電監視回路５４２は、停電等の発生による電源断時に、主制御装置２６１のＣＰＵ５０１及び払出制御装置３１１のＣＰＵ５１１の各ＮＭＩ端子へ停電信号Ｓ１を出力するための回路である。停電監視回路５４２は、電源部５４１で交流２４ボルトの電圧を監視し、この電圧が２４ボルト未満になった時間が例えば２０ミリ秒を超えた場合に停電（電源断）の発生と判断して、停電信号Ｓ１を主制御装置２６１及び払出制御装置３１１へ出力する。この停電信号Ｓ１の出力によって、主制御装置２６１及び払出制御装置３１１は、停電の発生を認識し、停電時処理（ＮＭＩ割込み処理）を実行する。
【００８９】
なお、電源部５４１は、電源部５４１で監視している交流２４ボルトが２４ボルト未満となった時間が２０ミリ秒を越えた後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【００９０】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアするための回路である。ＲＡＭ消去スイッチ３２３が押下された際、ＲＡＭ消去スイッチ回路５４３は、ＲＡＭ消去信号Ｓ２を主制御基板２６１ａに出力する。ＲＡＭ消去スイッチ３２３が押下された状態でパチンコ機１０の電源が投入されると（停電解消による電源入を含む）、主制御装置２６１においてＲＡＭ５０３のデータがクリアされ、払出制御装置３１１は主制御装置２６１からの初期化コマンドを受けるとＲＡＭ５１３のデータがクリアされる。
【００９１】
ところで、第３図柄表示装置４２（液晶表示装置）には、図５に示すように、左・中・右の３つの装飾図柄列Ｌ，Ｍ，Ｒが設定されており、装飾図柄列Ｌ，Ｍ，Ｒ毎に上装飾図柄、中装飾図柄、下装飾図柄の３個ずつの装飾図柄が変動表示される。本実施の形態では、一連の図柄は、「０」〜「９」の数字を各々付した主装飾図柄ＳＺと、菱形状の絵図柄からなる副装飾図柄ＦＺとにより構成されており、数字の昇順又は降順に主装飾図柄ＳＺが表示されると共に各主装飾図柄ＳＺの間に副装飾図柄ＦＺが配されて一連の装飾図柄列Ｌ，Ｍ，Ｒが構成されている。そして、周期性を持って主装飾図柄ＳＺと副装飾図柄ＦＺが上から下へと変動表示されるようになっている。
【００９２】
かかる場合、左装飾図柄列Ｌにおいては、上記一連の装飾図柄が降順（すなわち、主装飾図柄ＳＺの番号が減る順）に表示され、中装飾図柄列Ｍ及び右装飾図柄列Ｒにおいては、同じく上記一連の装飾図柄が昇順（すなわち、主装飾図柄ＳＺの番号が増える順）に表示される。そして、左装飾図柄列Ｌ→右装飾図柄列Ｒ→中装飾図柄列Ｍの順に変動表示が停止し、その停止時に第３図柄表示装置４２上の５つの有効ライン、すなわち上ラインＬ１、中ラインＬ２、下ラインＬ３、右上がりラインＬ４、左上がりラインＬ５の何れかで主装飾図柄ＳＺが大当たり図柄の組合せ（本実施の形態では、同一の主装飾図柄ＳＺの組合せ）で揃えば大当たりとして特別遊技動画が表示される。
【００９３】
続いて、本実施例のパチンコ機１０のさらなる特徴部分について図６〜図１３を用いて説明する。
【００９４】
図６は、実施例１の透明遊技盤３０の概略前面斜視図である。図７は、実施例１の透明遊技盤３０の概略裏面斜視図である。図８は、実施例１の透明遊技盤３０の背面に位置する集合通路盤６０を示す概略透視斜視図である。図９は、実施例１の装飾部品８０を備えた状態の集合通路盤６０を前方右上から見た斜視図である。図１０は、実施例１の集合通路盤６０を前方右上から見た分解斜視図である。図１１（ａ），（ｂ）は、その順に、集合通路盤６０を後方左上から見た斜視図、前方左上から見た斜視図である。図１２（ａ），（ｂ）は、その順に、集合通路盤６０を後方右上から見た斜視図、前方右上から見た斜視図である。図１３（ａ）〜（ｄ）は、その順に、集合通路盤６０の右側面図、背面図、左側面図および底面図である。
【００９５】
本実施例のパチンコ機１０は、図２を用いて前述したように透明遊技盤３０を備えている。この透明遊技盤３０は、図２に示すように、その前面側に、遊技球が打ち込まれる遊技領域３０ａを備えた透明樹脂製の部材である。
【００９６】
この透明遊技盤３０遊技領域３０ａの下部側箇所には、図２，図６に示すように、始動入賞装置３３と、この始動入賞装置３３の直下に設けられた可変入賞装置３２と、始動入賞装置３３の略両側で離間した箇所に配設された４個の一般入賞口３１と、が設けられている。
【００９７】
図６は、透明遊技盤３０の遊技領域３０ａの下部領域に、一般入賞口３１、可変入賞装置３２、始動入賞装置３３のみを配置した状態を図示し、その他の構成品（センターフレーム４７やレール５１，５２や釘など）の図示を省略したものである。
【００９８】
また、図６での一般入賞口３１、可変入賞装置３２、始動入賞装置３３は、図２での一般入賞口３１、可変入賞装置３２、始動入賞装置３３と異なる形状のものとしているが、図２での一般入賞口３１、可変入賞装置３２、始動入賞装置３３と同じものとしてもよい。
【００９９】
この透明遊技盤３０の裏面側には、図７，図８に示すように、透明遊技盤３０からの遊技球を集めて排出する集合通路盤６０を備えている。具体的には、集合通路盤６０は、図７，図８に示すように、一般入賞口３１、可変入賞装置３２、始動入賞装置３３に入賞した遊技球を集めて当該パチンコ機１０の下部の島設備に設けられた遊技球回収装置（図示省略）に向けて排出するものである。
【０１００】
透明遊技盤３０は、図６に示すように、一般入賞口３１、可変入賞装置３２、始動入賞装置３３の各配設箇所に貫通孔がそれぞれ当該透明遊技盤３０の前後方向に貫通して形成されているため、これらの一般入賞口３１、可変入賞装置３２、始動入賞装置３３に入賞した遊技球が対応する貫通孔を通過して当該透明遊技盤３０の背後に案内される。
【０１０１】
具体的には、図６に示すように、透明遊技盤３０の一般入賞口３１の配置箇所には、一般入賞口用貫通孔５６が形成されている。図６に示すように、透明遊技盤３０の始動入賞装置３３の配置箇所には、始動入賞装置用貫通孔５７が形成されている。また、透明遊技盤３０の可変入賞装置３２の配置箇所には、図８に示すように、可変入賞装置用貫通孔５８が形成されている。
【０１０２】
集合通路盤６０は、図９，図１０に示すように、その前面側の後述する窪み空間形成壁部６２による窪み空間に装飾部品８０を収納している。
【０１０３】
この装飾部品８０としては、図９，図１０に示すように、例えば透明樹脂成型品である収容体８１と、この収容体８１の裏面に設けられて裏面からの入射光を拡散して前面から出射する立体的な導光立体物８２（図１０参照）と、この導光立体物８２の裏面側から有色光を発光する発光ダイオード（ＬＥＤ）が複数個の実装された発光基板（図示省略）とを備えたものが挙げられる。なお、このＬＥＤは複数種類の有色光が発光可能なものとしてもよいし、単色光発光タイプのものを採用してもよい。
【０１０４】
装飾部品８０の収容体８１は、図９，図１０に示すように、その前面側に、後述する奥行き通路６４が位置する切り欠き部８１ａおよび挿入孔８１ｂが形成されている。導光立体物８２は、図１０に示すように、例えば円錐台形状としており、後述する奥行き通路６４が挿入される挿入孔部８２ａが形成されている。なお、図１０では、右側の導光立体物８２の挿入孔部８２ａに後述する奥行き通路６４が挿入されて、この導光立体物８２が後述する窪み空間形成壁部６２による窪み空間に取り付けられた状態を図示している。
【０１０５】
また、収容体８１または導光立体物８２の少なくとも一方がソレノイド等の駆動部品によって前後動あるいは左右動等するようにしてもよい。また、収容体８１の表面に模様や絵などの装飾を施してもよいし、集合通路盤６０の窪み空間形成壁部６２による窪み空間での裏面箇所等に模様や絵などの装飾を施してもよい。また、本実施例では、収容体８１は、その表面側が平面状となっているが、山状や凹凸形状や歪な形状などとしてより立体感や奥行き感が出るようにしてもよい。
【０１０６】
なお、前記の装飾部品８０に替えて、透明の収容体８１と、この収容体８１の内部に設けられた、例えばキャラクタを象った図示省略の可動役物（発光するものでも非発光なものでもよい）と、この可動役物を駆動する図示省略の駆動機構（例えばソレノイド等）とを備えたものとしてもよい。また、前記の装飾部品８０としてそれ以外の装飾態様のものを採用してもよい。
【０１０７】
集合通路盤６０は、図１１〜図１３に示すように、その裏面側箇所で下向きに設けられた、透明遊技盤３０からの遊技球を外部へ排出する排出口６１を備えている。
【０１０８】
具体的には、図１３（ｂ），（ｄ）に示す左側の排出口６１は、透明遊技盤３０の下部右側の２個の一般入賞口３１に入賞した入賞球と、始動入賞装置３３の第１の始動口３３ａに入賞した入賞球とを下方に排出するものである。また、図１３（ｂ），（ｄ）に示す中央の排出口６１は、透明遊技盤３０の始動入賞装置３３の第２の始動口３３ｂに入賞した入賞球と、可変入賞装置３２に入賞した入賞球とを下方に排出するものである。また、図１３（ｂ），（ｄ）に示す右側の排出口６１は、透明遊技盤３０の下部左側の２個の一般入賞口３１に入賞した入賞球を下方に排出するものである。
【０１０９】
さらに、集合通路盤６０は、図８、図１０〜図１２に示すように、透明遊技盤３０と対向する側に開口するとともに、当該集合通路盤６０の側面視で排出口６１の奥行き長さよりも大きく奥行き方向に窪んだ窪み空間であって装飾部品８０を収容可能な窪み空間を形成する窪み空間形成壁部６２を備えている。
【０１１０】
さらに、集合通路盤６０は、図７〜図１３に示すように、透明遊技盤３０の複数個の貫通孔（具体的には、４個の一般入賞口用貫通孔５６と、始動入賞装置用貫通孔５７の全体ではなくその上側部分）とそれぞれに連通して奥行き方向に向かう、窪み空間形成壁部６２の奥行きよりも長い複数個（５個）の奥行き通路６４を備えている。
【０１１１】
さらに、集合通路盤６０は、図１１〜図１３に示すように、窪み空間形成壁部６２の裏面側で下向きに延びる下向き通路６３を有し、左側２個および中央１個の合計３個の奥行き通路６４（左側２個の一般入賞口用の奥行き通路６４および中央１個の第１の始動口用の奥行き通路６４）と左側の排出口６１とを結ぶ連結通路６５と、窪み空間形成壁部６２の裏面側で下向きに延びる下向き通路６３を有し、右側２個の奥行き通路６４（右側２個の一般入賞口用の奥行き通路６４）と右側の排出口６１とを結ぶ連結通路６５と、を備えている。
【０１１２】
ここで、集合通路盤６０の構造等について、図１４〜図２０の図面も用いてもう少し詳細に説明する。
【０１１３】
図１４は、集合通路盤６０を後方右上から見た分解斜視図である。図１５は、集合通路盤６０を前方右上から見た分解斜視図である。図１６は、集合通路盤６０を後方左上から見た分解斜視図である。図１７は、集合通路盤６０を前方左上から見た分解斜視図である。図１８（ａ）〜（ｇ）は、その順に、集合通路盤６０本体の平面図、右側面図、背面図、左側面図、正面図、底面図および一部断面図である。図１９（ａ）〜（ｆ）は、その順に、第１裏面側通路部品７１の平面図、右側面図、背面図、左側面図、正面図および底面図である。図２０（ａ）〜（ｆ）は、その順に、第２裏面側通路部品７２の平面図、右側面図、背面図、左側面図、正面図および底面図である。
【０１１４】
集合通路盤６０は、図１５、図１７および図１８に示すように、窪み空間形成壁部６２と奥行き通路６４とを備えた、連結通路６５の遊技機前面側を形成する樹脂成型部材である本体部品６０Ａと、本体部品６０Ａの裏面に取り付けられる樹脂成型部材であって連結通路６５の少なくとも遊技機裏面側を形成する（本実施例では、横断面視で裏面側と両側面側とからなるコノ字状）第１裏面側通路部品７１，第２裏面側通路部品７２と、を備えている。
【０１１５】
この本体部品６０Ａには、窪み空間形成壁部６２によって２個の窪み空間が形成されている。具体的には、図８に示す左側の窪み空間は、透明遊技盤３０の裏面側で、図６に示す最左端の一般入賞口用貫通孔５６の周囲箇所のうちで上部を除く箇所に向けて開口形成されたものである。つまり、図１５に示すように、集合通路盤６０の本体部品６０Ａの左側の窪み空間は、最左端の一般入賞口用貫通孔５６と連通する奥行き通路６４の入球口６４ａの周囲のうちで上部を除く箇所が開口形成されたものである。
【０１１６】
また、これと同様に、図８に示す右側の窪み空間は、透明遊技盤３０の裏面側で、図６に示す最右端の一般入賞口用貫通孔５６の周囲箇所のうちで上部を除く箇所に向けて開口形成されたものである。つまり、図１５に示すように、集合通路盤６０の本体部品６０Ａの右側の窪み空間は、最右端の一般入賞口用貫通孔５６と連通する一般入賞口用の奥行き通路６４の入球口６４ａの周囲のうちで上部を除く箇所が開口形成されたものである。
【０１１７】
さらに、図８に示す左側の窪み空間は、透明遊技盤３０の裏面側で、図６に示す左側の一般入賞口用貫通孔５６（最左端の一般入賞口用貫通孔５６の右側に近接する一般入賞口用貫通孔５６）の全周囲箇所に向けて開口形成されたものでもある。つまり、図１５に示すように、集合通路盤６０の本体部品６０Ａの左側の窪み空間は、左側の一般入賞口用貫通孔５６（最左端の一般入賞口用貫通孔５６の右側に近接する一般入賞口用貫通孔５６）と連通する一般入賞口用の奥行き通路６４の入球口６４ａの全周囲箇所が開口形成されたものでもある。言い換えれば、透明遊技盤３０との合わせ面側を見た状態において、窪み空間形成壁部６２による左側の窪み空間内には、左側の一般入賞口用の奥行き通路６４（最左端の一般入賞口用の奥行き通路６４の右側に近接する一般入賞口用の奥行き通路６４）が立設されている。
【０１１８】
また、これと同様に、図８に示す右側の窪み空間は、透明遊技盤３０の裏面側で、図６に示す右側の一般入賞口用貫通孔５６（最右端の一般入賞口用貫通孔５６の左側に近接する一般入賞口用貫通孔５６）の全周囲箇所に向けて開口形成されたものでもある。つまり、図１５に示すように、集合通路盤６０の本体部品６０Ａの右側の窪み空間は、右側の一般入賞口用貫通孔５６（最右端の一般入賞口用貫通孔５６の左側に近接する一般入賞口用貫通孔５６）と連通する一般入賞口用の奥行き通路６４の入球口６４ａの全周囲箇所が開口形成されたものでもある。言い換えれば、透明遊技盤３０との合わせ面側を見た状態において、窪み空間形成壁部６２による右側の窪み空間内には、右側の一般入賞口用の奥行き通路６４（最右端の一般入賞口用の奥行き通路６４の左側に近接する一般入賞口用の奥行き通路６４）が立設されている。
【０１１９】
図７に示すように、第１裏面側通路部品７１，第２裏面側通路部品７２の各下向き通路６３には、当該下向き通路６３を通過する入賞球の通過を検出する図示省略の入球検出センサ（例えば、近接センサ）を保持するホルダー部７７を備えている。つまり、４個の一般入賞口３１や第１の始動口３３ａに入球した入賞球を上記の各入球検出センサ（図示省略）で検出し、始動入賞検出信号を主制御装置２６１に出力し、一般入賞検出信号を払出制御装置３１１に出力している。
【０１２０】
図１５，図１８（ｇ）に示すように、各奥行き通路６４は、側面視において、遊技球の接触転動面である下面部６４ｂが奥行き方向に向かって下り傾斜であり、且つ、その上面部６４ｃが水平であり、奥行き方向に向かうに連れて末広がりとしている。
【０１２１】
また、本体部品６０Ａは、図１５に示すように、第２の始動口３３ｂが収納される始動口用収容部６７と、可変入賞装置３２の大入賞口３２ａのソレノイド等が収納される可変入賞装置用収容部６８とを備えている。
【０１２２】
また、本体部品６０Ａは、図１４，図１６に示すように、その裏面側に奥行き通路６４の球出口６４ｄが形成されるとともに、この球出口６４ｄの周囲箇所のうちで上部側箇所に差出部６４ｅを備えている。具体的には、本体部品６０Ａは、図１４，図１６に示すように、その裏面側に第１の始動口用の奥行き通路６４の球出口６４ｄと一般入賞口用の奥行き通路６４の球出口６４ｄとが形成されるとともに、各球出口６４ｄの周囲箇所のうちで上部側箇所に差出部６４ｅをそれぞれ備えている。
【０１２３】
図１４〜図１７に示すように、第１裏面側通路部品７１，第２裏面側通路部品７２の下向き通路６３は、その上部箇所に、本体部品６０Ａの差出部６４ｅが嵌入される嵌入部７１ａ，７２ａをそれぞれ備えている。
【０１２４】
第１裏面側通路部品７１は、図１４，図１９に示すように、複数個（３個）の下向き通路６３と、この３個の下向き通路６３を支持する、本体部品６０Ａの裏面に当接する板部７３と、を備えている。
【０１２５】
また、第２裏面側通路部品７２は、図１４，図２０に示すように、複数個（２個）の下向き通路６３と、この２個の下向き通路６３を支持する、本体部品６０Ａの裏面に当接する板部７３と、を備えている。
【０１２６】
また、本体部品６０Ａは、図１４，図１６に示すように、その裏面側に、第１裏面側通路部品７１，第２裏面側通路部品７２を取り付けるためのネジ（図示省略）が螺入される雌ネジ部６６ａを有するボス６６を備えている。第１裏面側通路部品７１，第２裏面側通路部品７２は、図１４〜図１７に示すように、その前面側に、本体部品６０Ａの裏面側のボス６６が挿入されるボス挿入部７４を備えている。このボス挿入部７４は、図１４〜図１７に示すように、第１裏面側通路部品７１，第２裏面側通路部品７２を取り付けるためのネジ（図示省略）が挿入されるネジ孔７４ａを備えている。
【０１２７】
さらに、第１裏面側通路部品７１，第２裏面側通路部品７２の連結通路６５は、図１４〜図１７、図１９および図２０に示すように、下向き通路６３の下流側に連通して透明遊技盤３０の方に向かう手前方向通路７５と、手前方向通路７５の下流側に連通して排出口６１に向かう下向き曲がり通路７６と、を備えている。下向き曲がり通路７６は、図１５，図１７および図１８に示すように、その上面部が排出口６１に遊技球を案内する曲面部７６ａとしている。
【０１２８】
また、図１３に示すように、第１裏面側通路部品７１は、アウト口３６を通じて透明遊技盤３０の背面に向けて排出されるアウト球が当たり下方向に落下させるための規制板部を備えている。
【０１２９】
なお、上述した透明遊技盤３０が本発明における透明盤に相当し、上述した集合通路盤６０が本発明における集合板に相当し、上述した一般入賞口３１、可変入賞装置３２、始動入賞装置３３が本発明における入賞部品に相当し、上述した一般入賞口用貫通孔５６、始動入賞装置用貫通孔５７、可変入賞装置用貫通孔５８が本発明における貫通孔に相当し、上述した窪み空間形成壁部６２が本発明における窪み空間形成部に相当し、上述した奥行き通路６４が本発明における奥行き通路部に相当し、上述した下向き通路６３が本発明における下向き通路部に相当し、上述した連結通路６５が本発明における連結通路部に相当し、上述した本体部品６０Ａが本発明における本体部材に相当し、上述した第１裏面側通路部品７１，第２裏面側通路部品７２が本発明における裏面側部材に相当し、上述した始動入賞装置３３が本発明における始動入賞部品に相当し、上述した可変入賞装置３２が本発明における可変入賞部品に相当し、上述した一般入賞口３１が本発明における普通入賞部品に相当し、上述した始動入賞装置用貫通孔５７が本発明における始動入賞部品用貫通孔に相当し、上述した可変入賞装置用貫通孔５８が本発明における可変入賞部品用貫通孔に相当し、上述した一般入賞口用貫通孔５６が本発明における普通入賞部品用貫通孔に相当し、上述した第１の始動口用の奥行き通路６４が本発明における始動入賞部品用奥行き通路部に相当し、上述した一般入賞口用の奥行き通路６４が本発明における普通入賞部品用奥行き通路部に相当し、上述したボス６６が本発明における突出部に相当し、上述したボス挿入部７４が本発明における受け部に相当し、上述した手前方向通路７５が本発明における手前方向通路部に相当し、上述した下向き曲がり通路７６が本発明における下向き曲がり通路部に相当する。
【０１３０】
上述したように、本実施例１のパチンコ機１０によれば、遊技球が打ち込まれる遊技領域３０ａが前面側に形成された透明な透明遊技盤３０と、この透明遊技盤３０の裏面側に配設されて透明遊技盤３０からの遊技球を集めて排出する集合通路盤６０とを備え、透明遊技盤３０は、遊技領域３０ａの所定箇所に、遊技球が入球可能な入賞部品（一般入賞口３１、可変入賞装置３２、始動入賞装置３３）を備えるとともに、入賞部品（一般入賞口３１、可変入賞装置３２、始動入賞装置３３）に入賞した遊技球が通過可能なように入賞部品（一般入賞口３１、可変入賞装置３２、始動入賞装置３３）の配設箇所に前後方向に貫通形成された貫通孔（一般入賞口用貫通孔５６、始動入賞装置用貫通孔５７、可変入賞装置用貫通孔５８）を備え、集合通路盤６０は、その裏面側箇所で下向きに設けられた、外部へ遊技球を排出する排出口６１と、透明遊技盤３０と対向する側に開口するとともに、当該集合通路盤６０の側面視で排出口６１の奥行き長さよりも大きく奥行き方向に窪んだ窪み空間であって装飾部品８０を収容可能な窪み空間を形成する窪み空間形成壁部６２と、透明遊技盤３０の貫通孔（一般入賞口用貫通孔５６、始動入賞装置用貫通孔５７、可変入賞装置用貫通孔５８）と連通して奥行き方向に向かう、窪み空間形成壁部６２の奥行きよりも長い奥行き通路６４（第１の始動口用の奥行き通路６４、一般入賞口用の奥行き通路６４）と、この奥行き通路６４（第１の始動口用の奥行き通路６４、一般入賞口用の奥行き通路６４）と排出口６１とを結ぶ通路部であって、その少なくとも一部に、窪み空間形成壁部６２の裏面側で下向きに延びる下向き通路６３を有する連結通路６５と、を備えている。
【０１３１】
したがって、集合通路盤６０の窪み空間形成壁部６２による窪み空間に装飾部品８０を収容することができ、装飾部品８０で透明遊技盤３０の裏面を装飾でき、透明遊技盤３０の裏面の装飾性を向上させることができる。また、透明遊技盤３０の裏面と集合との間に装飾部品８０を設けているので、装飾部品８０が集合通路盤６０の背後に位置することがなく、集合通路盤６０の背後に装飾部品８０を配設することによる当該装飾部品８０の見辛さの問題も生じない。その結果、透明遊技盤３０の裏面と集合通路盤６０との間に装飾部品８０を配設でき、装飾部品８０で透明遊技盤３０の裏面を装飾できる遊技機を提供することができる。
【０１３２】
また、集合通路盤６０は、窪み空間形成壁部６２と奥行き通路６４とを備えた、樹脂成型部材である本体部品６０Ａを備え、この本体部品６０Ａは、前記窪み空間が、透明遊技盤３０の裏面側で最左端および最右端の一般入賞口用貫通孔５６の周囲箇所の一部の箇所（例えば、上部側の除く箇所）に向けて開口形成されるように窪み空間形成壁部６２を備えたものである。したがって、透明遊技盤３０の裏面側で一般入賞口３１の周囲の一部（例えば、上部側の除く箇所）に窪み空間を形成することができ、この窪み空間に装飾部品８０を収容することができ、最左端および最右端の一般入賞口３１の周囲の一部（例えば、上部側の除く箇所）を装飾部品８０で装飾することができ、遊技の興趣性をさらに向上させることができる。
【０１３３】
また、集合通路盤６０は、窪み空間形成壁部６２と奥行き通路６４とを備えた、樹脂成型部材である本体部品６０Ａを備え、この本体部品６０Ａは、前記窪み空間が、透明遊技盤３０の裏面側で、中央近くの左右の一般入賞口用貫通孔５６の全周囲箇所に向けて開口形成されるように窪み空間形成壁部６２を備えるとともに、透明遊技盤３０との合わせ面側を見た状態において、窪み空間形成壁部６２による窪み空間内に一般入賞口用の奥行き通路６４が立設されている。したがって、透明遊技盤３０の正面視で中央近くの左右の一般入賞口３１の全周箇所に、窪み空間形成壁部６２による窪み空間を形成することができ、この窪み空間に装飾部品８０を配設することで、中央近くの左右の一般入賞口３１の全周箇所にわたって装飾部品８０で装飾を施すことができ、遊技の興趣性をさらに向上させることができる。
【０１３４】
また、奥行き通路６４は、側面視において、遊技球の接触転動面である下面部６４ｂが奥行き方向に向かって下り傾斜としており、且つ、その上面部６４ｃが水平としており、当該奥行き方向に向かうに連れて末広がりとしている、つまり、奥行き通路６４の透明遊技盤３０側が先細りとなっているので、本体部品６０Ａの透明遊技盤３０と対向する側と成型金型とを離間する方向に本体部品６０Ａまたは成型金型の少なくとも一方を離間する際に、奥行き通路６４が破損したり、成型金型が外れ難いなどの問題が生じず、成型金型から本体部品６０Ａを取り外し易く、本体部品６０Ａ（窪み空間形成壁部６２とその窪み空間に立設された奥行き通路６４とを有する本体部品６０Ａ）を好適に樹脂成型することができる。
【０１３５】
また、集合通路盤６０は、窪み空間形成壁部６２と奥行き通路６４とを備えた、連結通路６５の遊技機前面側を形成する樹脂成型部材である本体部品６０Ａと、この本体部品６０Ａの裏面に取り付けられる樹脂成型部材であって連結通路６５の少なくとも遊技機裏面側を形成する（本実施例では、横断面視で裏面側と両側面側とからなるコノ字状）第１裏面側通路部品７１，第２裏面側通路部品７２と、を備えている。したがって、集合通路盤６０を構成する本体部品６０Ａと第１裏面側通路部品７１，第２裏面側通路部品７２とを別々の部材とすることで、本体部品用の成型金型で本体部品６０Ａを樹脂成型でき、第１裏面側通路部品７１，第２裏面側通路部品７２の成型金型で第１裏面側通路部品７１，第２裏面側通路部品７２を樹脂成型でき、本体部品６０Ａの裏面に第１裏面側通路部品７１，第２裏面側通路部品７２を取り付けることで集合通路盤６０を完成させることができ、窪み空間形成壁部６２と奥行き通路６４と連結通路６５とを有する集合通路盤６０を好適に実現することができる。
【０１３６】
また、本体部品６０Ａの裏面側には、奥行き通路６４の球出口６４ｄが形成されている。本体部品６０Ａの球出口６４ｄの周囲箇所のうちで上部側箇所に備えられた差出部６４ｅが、第１裏面側通路部品７１，第２裏面側通路部品７２の下向き通路６３の上部箇所に備えられた嵌入部７１ａ，７２ａに嵌入される。したがって、この嵌入状態では第１裏面側通路部品７１，第２裏面側通路部品７２が本体部品６０Ａに仮止め状態となっており、第１裏面側通路部品７１，第２裏面側通路部品７２から手を離しても本体部品６０Ａから落下することがないことから、取付作業者は第１裏面側通路部品７１，第２裏面側通路部品７２の本体部品６０Ａへのネジなどでの締結作業に集中でき、第１裏面側通路部品７１，第２裏面側通路部品７２の取付作業性に優れる。
【０１３７】
また、透明遊技盤３０は、始動入賞装置３３、可変入賞装置３２および一般入賞口３１が、遊技領域３０ａでの下部側領域にそれぞれ配設されるとともに、始動入賞装置用貫通孔５７、可変入賞装置用貫通孔５８および一般入賞口用貫通孔５６が、始動入賞装置３３、可変入賞装置３２および一般入賞口３１の配設箇所にそれぞれ形成されたものであり、集合通路盤６０は、透明遊技盤３０の下部側領域の背後箇所に配設されたものであり、集合通路盤６０は、窪み空間形成壁部６２と奥行き通路６４とを備えた、樹脂成型部材である本体部品６０Ａを備え、この本体部品６０Ａは、複数個の奥行き通路６４を備え、複数個の奥行き通路６４は、始動入賞装置用貫通孔５７と連通する第１の始動口用の奥行き通路６４と、一般入賞口用貫通孔５６と連通する一般入賞口用の奥行き通路６４とであり、本体部品６０Ａは、透明遊技盤３０の裏面側で始動入賞装置用貫通孔５７の周囲箇所の少なくとも一部の箇所と、可変入賞装置用貫通孔５８の周囲箇所の少なくとも一部の箇所と、一般入賞口用貫通孔５６の周囲箇所の少なくとも一部の箇所とに向けて前記窪み空間が開口形成されるように窪み空間形成壁部６２を備えたものである。したがって、透明遊技盤３０の裏面側で始動入賞装置用貫通孔５７の周囲箇所の少なくとも一部の箇所と、可変入賞装置用貫通孔５８の周囲箇所の少なくとも一部の箇所と、一般入賞口用貫通孔５６の周囲箇所の少なくとも一部の箇所とに窪み空間を形成することができ、この窪み空間に装飾部品８０を収容することができ、始動入賞装置３３、可変入賞装置３２および一般入賞口３１の周囲を装飾部品８０で装飾することができ、遊技の興趣性をさらに向上させることができる。
【０１３８】
また、集合通路盤６０は、本体部品６０Ａの裏面に取り付けられる樹脂成型部材であって連結通路６５を備えた第１裏面側通路部品７１，第２裏面側通路部品７２を備え、この第１裏面側通路部品７１，第２裏面側通路部品７２は、複数個の下向き通路６３と、この複数個の下向き通路６３を支持する、本体部品６０Ａの裏面に当接する板部７３と、を備えている。したがって、第１裏面側通路部品７１，第２裏面側通路部品７２の複数個の下向き通路６３が板部７３で支持されているので、本体部品６０Ａの裏面側への取付作業時に下向き通路６３が破損・変形することを低減でき、第１裏面側通路部品７１，第２裏面側通路部品７２の本体部品６０Ａへの取付状態において複数個の下向き通路６３を安定して支持できる。
【０１３９】
また、本体部品６０Ａは、その裏面側に第１の始動口用の奥行き通路６４の球出口６４ｄと一般入賞口用の奥行き通路６４の球出口６４ｄとが形成されるとともに、各球出口６４ｄの周囲箇所のうちで上部側箇所に差出部６４ｅをそれぞれ備え、第１裏面側通路部品７１，第２裏面側通路部品７２の複数個の下向き通路６３は、その上部箇所に、差出部６４ｅが嵌入される嵌入部７１ａ，７２ａをそれぞれ備えている。したがって、この嵌入状態では第１裏面側通路部品７１，第２裏面側通路部品７２が本体部品６０Ａに仮止め状態となっており、第１裏面側通路部品７１，第２裏面側通路部品７２から手を離しても本体部品６０Ａから落下することがないことから、取付作業者は第１裏面側通路部品７１，第２裏面側通路部品７２の本体部品６０Ａへのネジなどでの締結作業に集中でき、第１裏面側通路部品７１，第２裏面側通路部品７２の取付作業性に優れる。
【０１４０】
また、本体部品６０Ａは、その裏面側に、第１裏面側通路部品７１，第２裏面側通路部品７２を取り付けるためのネジが螺入される雌ネジ部６６ａを有するボス６６を備え、第１裏面側通路部品７１，第２裏面側通路部品７２は、その前面側に、ボス６６が挿入されるボス挿入部７４を備え、このボス挿入部７４は、ネジが挿入されるネジ孔７４ａを備えている。したがって、本体部品６０Ａの裏面側に、第１裏面側通路部品７１，第２裏面側通路部品７２のボス挿入部７４に挿入されるボス６６を設けることで、当該本体部品６０Ａの前面側の窪み空間内にネジ部等を設ることがなく、窪み空間を広く活用することができる。
【０１４１】
また、連結通路６５は、さらに、下向き通路６３の下流側に連通して透明遊技盤３０の方に向かう手前方向通路７５と、この手前方向通路７５の下流側に連通して排出口６１に向かう下向き曲がり通路７６と、を備え、下向き曲がり通路７６は、その上面部が排出口６１に遊技球を案内する曲面部７６ａとしている。したがって、下向き通路６３で下方向に案内された入賞球が手前方向通路７５で進行方向が変更されて勢いよく透明遊技盤３０の方に案内されるが、その勢いのある入賞球は、下向き曲がり通路７６の上面部である曲面部７６ａで進行方向が無理なく排出口６１へ変更され、集合通路盤６０に勢いよく入賞球が衝突することを低減でき、入賞球の衝突に起因する集合通路盤６０の損傷等を低減でき、集合通路盤６０の寿命を延ばすことができる。
【０１４２】
この発明は、上記実施形態に限られることはなく、同様の効果を奏する別の構成としてもよく、例えば下記のように変形実施することができる。
【０１４３】
＜１＞上述した実施例では、集合通路盤６０の裏面側で透明遊技盤３０に近い箇所に、入賞球を外部に排出する排出口６１を設けているが、集合通路盤６０の裏面側で透明遊技盤３０から最も離れた箇所などに、入賞球を外部に排出する排出口６１を設けるようにしてもよい。つまり、パチンコ機１０が設けられた島設備での遊技球回収装置（図示省略）に対応する、集合通路盤６０の裏面側箇所に排出口６１を設けてもよい。
【０１４４】
＜２＞本発明を各種（例えば第一種、第三種など）の遊技機に実施してもよいし、上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特定遊技状態となるパチンコ機として実施してもよい。また、球が所定の入賞口に入ることで特定遊技状態となるパチンコ機として実施してもよい。さらに、パチンコ機以外にも、アレンジボール型パチンコ、雀球、いわゆるパチンコ機とスロットマシンとが融合した遊技機等の各種遊技機として実施するようにしてもよい。
【０１４５】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の遊技球の投入後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【０１４６】
なお、本明細書は、次のような遊技機に係る発明も開示している。
従来、遊技機の代表例として例えばパチンコ機がある。このパチンコ機としては、例えば、遊技球が打ち込まれる遊技領域を前面側に有する透明な透明遊技盤を備えたものがある。この透明遊技盤の裏面下部には、入賞口に入球した遊技球を収集する入賞球集合通路部品が設けられている。（例えば、特開２００６−９５１６２号公報（第３−５頁，第２−６図）参照）。
しかしながら、このような構成を有する従来例の場合には、次のような問題がある。
すなわち、従来のパチンコ機では、例えば、透明遊技盤の裏面下部に入賞球集合通路部品が配設されており、透明遊技盤の裏面における入賞口等の周囲箇所と入賞球集合通路部品との間に装飾部品を設けることができず、透明遊技盤の裏面下部の装飾性を向上させることができないという問題がある。
また、入賞球集合通路部品を透明部品とし、この入賞球集合通路部品の背後に装飾部品を設けるようにした場合には、装飾部品の複数箇所が見辛いなどの問題がある。
下記（１）に係る発明は、このような事情に鑑みてなされたものであって、透明遊技盤の裏面と入賞球集合通路部品との間に装飾部品を配設でき、装飾部品で透明遊技盤の裏面を装飾できる遊技機を提供することを目的とする。
【０１４７】
（１）  遊技球が打ち込まれる遊技領域が前面側に形成された透明な透明盤と、
前記透明盤の裏面側に配設されて前記透明盤からの遊技球を集めて排出する集合板と
を備えた遊技機において、
前記透明盤は、
前記遊技領域の所定箇所に、遊技球が入球可能な入賞部品を備えるとともに、
前記入賞部品に入賞した遊技球が通過可能なように前記入賞部品の配設箇所に前後方向に貫通形成された貫通孔を備え、
前記集合板は、
その裏面側箇所で下向きに設けられた、外部へ遊技球を排出する排出口と、
前記透明盤と対向する側に開口するとともに、当該集合板の側面視で前記排出口の奥行き長さよりも大きく奥行き方向に窪んだ窪み空間であって装飾部品を収容可能な窪み空間を形成する窪み空間形成部と、
前記透明盤の前記貫通孔と連通して奥行き方向に向かう、前記窪み空間形成部の奥行きよりも長い奥行き通路部と、
前記奥行き通路部と前記排出口とを結ぶ通路部であって、その少なくとも一部に、前記窪み空間形成部の裏面側で下向きに延びる下向き通路部を有する連結通路部と、
を備えている
ことを特徴とする遊技機。
【０１４８】
前記（１）に記載の発明によれば、透明盤は、遊技球が打ち込まれる遊技領域が前面側に形成されており、透明なものである。集合板は、透明盤の裏面側に配設されており、透明盤からの遊技球を集めて排出する。透明盤は、遊技領域の所定箇所に、遊技球が入球可能な入賞部品を備えるとともに、入賞部品に入賞した遊技球が通過可能なように入賞部品の配設箇所に前後方向に貫通形成された貫通孔を備えている。集合板は、その裏面側箇所で下向きに設けられた、外部へ遊技球を排出する排出口と、透明盤と対向する側に開口するとともに、当該集合板の側面視で排出口の奥行き長さよりも大きく奥行き方向に窪んだ窪み空間であって装飾部品を収容可能な窪み空間を形成する窪み空間形成部と、透明盤の貫通孔と連通して奥行き方向に向かう、窪み空間形成部の奥行きよりも長い奥行き通路部と、奥行き通路部と排出口とを結ぶ通路部であって、その少なくとも一部に、窪み空間形成部の裏面側で下向きに延びる下向き通路部を有する連結通路部とを備えている。したがって、集合板の窪み空間形成部による窪み空間に装飾部品を収容することができ、装飾部品で透明盤の裏面を装飾でき、透明盤の裏面の装飾性を向上させることができる。また、透明盤の裏面と集合との間に装飾部品を設けているので、装飾部品が集合板の背後に位置することがなく、集合板の背後に装飾部品を配設することによる当該装飾部品の見辛さの問題も生じない。その結果、透明盤の裏面と集合板との間に装飾部品を配設でき、装飾部品で透明盤の裏面を装飾できる遊技機を提供することができる。
【０１４９】
（２）  前記（１）に記載の遊技機において、
前記集合板は、前記窪み空間形成部と前記奥行き通路部とを備えた、樹脂成型部材である本体部材を備え、
前記本体部材は、前記窪み空間が、前記透明盤の裏面側で前記貫通孔の周囲箇所の少なくとも一部の箇所に向けて開口形成されるように前記窪み空間形成部を備えたものである
ことを特徴とする遊技機。
【０１５０】
前記（２）に記載の発明によれば、集合板の本体部材は、窪み空間形成部と奥行き通路部とを備えた樹脂成型部材である。この本体部材は、窪み空間が、透明盤の裏面側で貫通孔の周囲箇所の少なくとも一部の箇所に向けて開口形成されるように窪み空間形成部を備えたものである。したがって、透明盤の裏面側で入賞部品の周囲の少なくとも一部に窪み空間を形成することができ、この窪み空間に装飾部品を収容することができ、入賞部品の周囲の少なくとも一部を装飾部品で装飾することができ、遊技の興趣性をさらに向上させることができる。
【０１５１】
（３）  前記（１）に記載の遊技機において、
前記集合板は、前記窪み空間形成部と前記奥行き通路部とを備えた、樹脂成型部材である本体部材を備え、
前記本体部材は、前記窪み空間が、前記透明盤の裏面側で前記貫通孔の全周囲箇所に向けて開口形成されるように前記窪み空間形成部を備えるとともに、
前記透明盤との合わせ面側を見た状態において、前記窪み空間形成部による窪み空間内に前記奥行き通路部が立設されている
ことを特徴とする遊技機。
【０１５２】
前記（３）に記載の発明によれば、集合板の本体部材は、窪み空間形成部と奥行き通路部とを備えた樹脂成型部材である。この本体部材は、窪み空間が、透明盤の裏面側で貫通孔の全周囲箇所に向けて開口形成されるように窪み空間形成部を備えるとともに、透明盤との合わせ面側を見た状態において、窪み空間形成部による窪み空間内に奥行き通路部が立設されている。したがって、透明盤の正面視で入賞部品の全周箇所に、窪み空間形成部による窪み空間を形成することができ、この窪み空間に装飾部品を配設することで、入賞部品の全周箇所にわたって装飾部品で装飾を施すことができ、遊技の興趣性をさらに向上させることができる。
【０１５３】
（４）  前記（３）に記載の遊技機において、
前記奥行き通路部は、側面視において、遊技球の接触転動面である下面部が奥行き方向に向かって下り傾斜としており、且つ、その上面部が水平としており、前記奥行き方向に向かうに連れて末広がりとしている
ことを特徴とする遊技機。
【０１５４】
前記（４）に記載の発明によれば、奥行き通路部は、側面視において、遊技球の接触転動面である下面部が奥行き方向に向かって下り傾斜としているので、透明盤の入賞部品に入球した遊技球を集合板の奥行き方向に滞りなく案内することができる。また、奥行き通路部は、窪み空間形成部による窪み空間内に立設されており、この奥行き通路部の下面部のみを下り傾斜としその上面部は水平とした奥行き方向に末広がりの形状としている、つまり、奥行き通路部の透明盤側が先細りとなっているので、本体部材の透明盤と対向する側と成型金型とを離間する方向に本体部材または成型金型の少なくとも一方を離間する際に、奥行き通路部が破損したり、成型金型が外れ難いなどの問題が生じず、成型金型から本体部材を取り外し易く、本体部材（窪み空間形成部とその窪み空間に立設された奥行き通路部とを有する本体部材）を好適に樹脂成型することができる。
【０１５５】
（５）  前記（１）から（４）のいずれか一つに記載の遊技機において、
前記集合板は、
前記窪み空間形成部と前記奥行き通路部とを備えた、前記連結通路部の少なくとも遊技機前面側を形成する樹脂成型部材である本体部材と、
前記本体部材の裏面に取り付けられる樹脂成型部材であって前記連結通路部の少なくとも遊技機裏面側を形成する裏面側部材と、
を備えている
ことを特徴とする遊技機。
【０１５６】
前記（５）に記載の発明によれば、集合板は、窪み空間形成部と奥行き通路部とを備えた、連結通路部の少なくとも遊技機前面側を形成する樹脂成型部材である本体部材と、この本体部材の裏面に取り付けられる樹脂成型部材であって連結通路部の少なくとも遊技機裏面側を形成する裏面側部材と、を備えている。したがって、集合板を構成する本体部材と裏面側部材とを別々の部材とすることで、本体部材用の成型金型で本体部材を樹脂成型でき、裏面側部材の成型金型で裏面側部材を樹脂成型でき、本体部材の裏面に裏面側部材を取り付けることで集合板を完成させることができ、窪み空間形成部と奥行き通路部と連結通路部とを有する集合板を好適に実現することができる。
【０１５７】
なお、「連結通路部の少なくとも遊技機前面側する本体部材」は、連結通路部の遊技機前面側全てを形成してもよいし、前述した実施例のように連結通路部の遊技機前面側の一部が裏面側部材で形成されていてもよい。
【０１５８】
（６）  前記（５）に記載の遊技機において、
前記本体部材は、その裏面側に前記奥行き通路部の球出口が形成されるとともに、前記球出口の周囲箇所のうちで上部側箇所に差出部を備え、
前記裏面側部材の前記下向き通路部は、その上部箇所に、前記差出部が嵌入される嵌入部を備えている
ことを特徴とする遊技機。
【０１５９】
前記（６）に記載の発明によれば、本体部材の裏面側には、奥行き通路部の球出口が形成されている。本体部材の球出口の周囲箇所のうちで上部側箇所に備えられた差出部が、裏面側部材の下向き通路部の上部箇所に備えられた嵌入部に嵌入される。したがって、この嵌入状態では裏面側部材が本体部材に仮止め状態となっており、裏面側部材から手を離しても本体部材から落下することがないことから、取付作業者は裏面側部材の本体部材へのネジなどでの締結作業に集中でき、裏面側部材の取付作業性に優れる。
【０１６０】
（７）  前記（１）に記載の遊技機において、
前記透明盤は、前記入賞部品としての始動入賞部品、可変入賞部品および普通入賞部品が、前記遊技領域での下部側領域にそれぞれ配設されるとともに、前記貫通孔としての始動入賞部品用貫通孔、可変入賞部品用貫通孔および普通入賞部品用貫通孔が、各入賞部品の配設箇所にそれぞれ形成されたものであり、
前記集合板は、前記透明盤の前記下部側領域の背後箇所に配設されたものであり、
前記集合板は、前記窪み空間形成部と前記奥行き通路部とを備えた、樹脂成型部材である本体部材を備え、
前記本体部材は、複数個の前記奥行き通路部を備え、
前記複数個の奥行き通路部は、前記始動入賞部品用貫通孔と連通する始動入賞部品用奥行き通路部と、前記普通入賞部品用貫通孔と連通する普通入賞部品用奥行き通路部とであり、
前記本体部材は、前記透明盤の裏面側で前記始動入賞部品用貫通孔の周囲箇所の少なくとも一部の箇所と、前記可変入賞部品用貫通孔の周囲箇所の少なくとも一部の箇所と、前記普通入賞部品用貫通孔の周囲箇所の少なくとも一部の箇所とに向けて前記窪み空間が開口形成されるように前記窪み空間形成部を備えたものである
ことを特徴とする遊技機。
【０１６１】
前記（７）に記載の発明によれば、透明盤の遊技領域での下部側領域には、始動入賞部品、可変入賞部品および普通入賞部品がそれぞれ配設されるとともに、始動入賞部品用貫通孔、可変入賞部品用貫通孔および普通入賞部品用貫通孔が、各入賞部品の配設箇所にそれぞれ形成されている。集合板は、透明盤の下部側領域の背後箇所に配設される。本体部材は、複数個の奥行き通路部を備えている。この複数個の奥行き通路部は、始動入賞部品用貫通孔と連通する始動入賞部品用奥行き通路部と、普通入賞部品用貫通孔と連通する普通入賞部品用奥行き通路部とである。本体部材は、透明盤の裏面側で始動入賞部品用貫通孔の周囲箇所の少なくとも一部の箇所と、可変入賞部品用貫通孔の周囲箇所の少なくとも一部の箇所と、普通入賞部品用貫通孔の周囲箇所の少なくとも一部の箇所とに向けて窪み空間が開口形成されるように窪み空間形成部を備えている。したがって、透明盤の裏面側で始動入賞部品用貫通孔の周囲箇所の少なくとも一部の箇所と、可変入賞部品用貫通孔の周囲箇所の少なくとも一部の箇所と、普通入賞部品用貫通孔の周囲箇所の少なくとも一部の箇所とに窪み空間を形成することができ、この窪み空間に装飾部品を収容することができ、各入賞部品の周囲を装飾部品で装飾することができ、遊技の興趣性をさらに向上させることができる。
【０１６２】
（８）  前記（７）に記載の遊技機において、
前記集合板は、前記本体部材の裏面に取り付けられる樹脂成型部材であって前記連結通路部を備えた裏面側部材を備え、
前記裏面側部材は、複数個の前記下向き通路部と、前記複数個の下向き通路部を支持する、前記本体部材の裏面に当接する板部と、を備えている
ことを特徴とする遊技機。
【０１６３】
前記（８）に記載の発明によれば、集合板は、窪み空間形成部と奥行き通路部とを備えた、樹脂成型部材である本体部材と、この本体部材の裏面に取り付けられる樹脂成型部材であって連結通路部を備えた裏面側部材と、を備えている。裏面側部材は、複数個の下向き通路部と、この複数個の下向き通路部を支持する、本体部材の裏面に当接する板部と、を備えている。したがって、裏面側部材の複数個の下向き通路部が板部で支持されているので、本体部材の裏面側への取付作業時に下向き通路部が破損・変形することを低減でき、裏面側部材の本体部材への取付状態において複数個の下向き通路部を安定して支持できる。
【０１６４】
（９）  前記（８）に記載の遊技機において、
前記本体部材は、その裏面側に前記始動入賞部品用奥行き通路部の球出口と前記普通入賞部品用奥行き通路部の球出口とが形成されるとともに、前記各球出口の周囲箇所のうちで上部側箇所に差出部をそれぞれ備え、
前記裏面側部材の前記複数個の下向き通路部は、その上部箇所に、前記差出部が嵌入される嵌入部をそれぞれ備えている
ことを特徴とする遊技機。
【０１６５】
前記（９）に記載の発明によれば、本体部材の裏面側には、始動入賞部品用奥行き通路部の球出口と普通入賞部品用奥行き通路部の球出口とが形成されている。本体部材の各球出口の周囲箇所のうちで上部側箇所に備えられた差出部が、裏面側部材の複数個の下向き通路部の上部箇所に備えられた嵌入部にそれぞれ嵌入される。したがって、この嵌入状態では裏面側部材が本体部材に仮止め状態となっており、裏面側部材から手を離しても本体部材から落下することがないことから、取付作業者は裏面側部材の本体部材へのネジなどでの締結作業に集中でき、裏面側部材の取付作業性に優れる。
【０１６６】
（１０）  前記（３）、（４）、（８）および（９）のいずれか一つに記載の遊技機において、
前記本体部材は、その裏面側に、前記裏面側部材を取り付けるためのネジが螺入される雌ネジ部を有する突出部を備え、
前記裏面側部材は、その前面側に、前記突出部が挿入される受け部を備え、
前記受け部は、前記ネジが挿入されるネジ孔を備えている
ことを特徴とする遊技機。
【０１６７】
前記（１０）に記載の発明によれば、本体部材の裏面側の突出部を、裏面側部材の受け部の受け部に挿入するようにしてこの裏面側部材を本体部材に取り付ける。その取付状態において、裏面側部材の受け部のネジ孔にネジを挿入して本体部材の雌ネジ部に螺入することで、裏面側部材が本体部材に固定される。したがって、本体部材の裏面側に、裏面側部材の受け部に挿入される突出部を設けることで、当該本体部材の前面側の窪み空間内にネジ部等を設ることがなく、窪み空間を広く活用することができる。
【０１６８】
（１１）  前記（１）から（１０）のいずれか一つに記載の遊技機において、
前記連結通路部は、さらに、
前記下向き通路部の下流側に連通して前記透明盤の方に向かう手前方向通路部と、
前記手前方向通路部の下流側に連通して前記排出口に向かう下向き曲がり通路部と、
を備え、
前記下向き曲がり通路部は、その上面部が前記排出口に遊技球を案内する曲面部としている
ことを特徴とする遊技機。
【０１６９】
前記（１１）に記載の発明によれば、連結通路部は、下向き通路部の下流側に連通して透明盤の方に向かう手前方向通路部と、この手前方向通路部の下流側に連通して排出口に向かう下向き曲がり通路部と、を備えている。この下向き曲がり通路部は、その上面部が排出口に遊技球を案内する曲面部としている。したがって、下向き通路部で下方向に案内された入賞球が手前方向通路部で進行方向が変更されて勢いよく透明盤の方に案内されるが、その勢いのある入賞球は、下向き曲がり通路部の上面部である曲面部で進行方向が無理なく排出口へ変更され、集合板に勢いよく入賞球が衝突することを低減でき、入賞球の衝突に起因する集合板の損傷等を低減でき、集合板の寿命を延ばすことができる。
【０１７０】
（１２）  前記（１）から（１１）のいずれか一つに記載の遊技機において、
前記遊技機はパチンコ機であることを特徴とする遊技機。
【０１７１】
前記（１２）に記載の遊技機によれば、透明盤の裏面と集合板との間に装飾部品を配設でき、装飾部品で透明盤の裏面を装飾できるパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特定遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【０１７２】
（１３）  前記（１）から（１１）のいずれか一つに記載の遊技機において、
前記遊技機はパチンコ機とスロットマシンとを融合させたものであることを特徴とする遊技機。
【０１７３】
前記（１３）に記載の遊技機によれば、透明盤の裏面と集合板との間に装飾部品を配設でき、装飾部品で透明盤の裏面を装飾できる、パチンコ機とスロットマシンとを融合させたものを提供できる。なお、この融合させたものの基本構成としては、「複数の識別情報からなる識別情報列を動的表示した後に識別情報を確定表示する識別情報変動表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特定遊技状態を発生させる特定遊技状態発生手段とを備え、遊技用媒体として球を使用するとともに、前記識別情報の動的表示の開始に際しては所定数の球を必要とし、特定遊技状態の発生に際しては多くの球が払い出されるように構成されている遊技機」となる。
【０１７４】
なお、本明細書に開示する種々の発明に関して、全ての構成要素について種々の組み合わせが可能であり、他の構成要件がなくても単独で発明として成立する点に留意されたい。
【産業上の利用可能性】
【０１７５】
以上のように、この発明は、パチンコ機等の遊技機に適している。
【符号の説明】
【０１７６】
３０  …透明遊技盤（透明盤）
３１  …一般入賞口（入賞部品、普通入賞部品）
３２  …可変入賞装置（入賞部品、可変入賞部品）
３３  …始動入賞装置（入賞部品、始動入賞部品）
５６  …一般入賞口用貫通孔（貫通孔、普通入賞部品用貫通孔）
５７  …始動入賞装置用貫通孔（貫通孔、始動入賞部品用貫通孔）
５８  …可変入賞装置用貫通孔（貫通孔、可変入賞部品用貫通孔）
６０  …集合通路盤（集合板）
６０Ａ…本体部品（本体部材）
６２  …窪み空間形成壁部（窪み空間形成部）
６３  …下向き通路（下向き通路部）
６４  …奥行き通路（奥行き通路部）
６５  …連結通路（連結通路部）
６６  …ボス（突出部）
７１  …第１裏面側通路部品（裏面側部材）
７２  …第２裏面側通路部品（裏面側部材）
７４  …ボス挿入部（受け部）
７５  …手前方向通路（手前方向通路部）
７６  …下向き曲がり通路（下向き曲がり通路部）
【図１】
2019063664.tif 000003
【図２】
2019063664.tif 000004
【図３】
2019063664.tif 000005
【図４】
2019063664.tif 000006
【図５】
2019063664.tif 000007
【図６】
2019063664.tif 000008
【図７】
2019063664.tif 000009
【図８】
2019063664.tif 000010
【図９】
2019063664.tif 000011
【図１０】
2019063664.tif 000012
【図１１】
2019063664.tif 000013
【図１２】
2019063664.tif 000014
【図１３】
2019063664.tif 000015
【図１４】
2019063664.tif 000016
【図１５】
2019063664.tif 000017
【図１６】
2019063664.tif 000018
【図１７】
2019063664.tif 000019
【図１８】
2019063664.tif 000020
【図１９】
2019063664.tif 000021
【図２０】
2019063664.tif 000022